(57)【要約】【課題】水平面と様々な角度をなす下向きの光を照射する。【解決手段】ＬＥＤ光源1a7の光軸1a7'が水平面に垂直な板状の基板2aに垂直になるように、ＬＥＤ光源1a7を基板2aに実装したＬＥＤ照明装置10において、反射型出射部3a7e1の出射面3a7e1bから水平面と第４の角度をなす下向きの光L3a7e1'が照射され、反射型出射部3a7e2の出射面3a7e2bから水平面と第４の角度とほぼ等しい第５の角度をなす下向きの光L3a7e2'が照射され、反射型出射部3a7fの出射面3a7f2aから水平面と第４および第５の角度より大きい第６の角度をなす下向きの光L3a7f2a'が照射され、反射型出射部3a7fの出射面3a7f2bから水平面と第４、第５および第６の角度より大きい第７の角度をなす下向きの光L3a7f2b'が照射され、屈折型出射部3a7gの出射面3a7g1から水平面と第７の角度より小さい第８の角度をなす下向きの光L3a7g'が照射される。【選択図】図１
2012104295.tif 000002
【特許請求の範囲】
【請求項１】
板状の基板（２ａ）を水平面に対して垂直に配置し、第１ＬＥＤ光源（１ａ７）の光軸（１ａ７’）が基板（２ａ）に対して垂直になるように第１ＬＥＤ光源（１ａ７）を基板（２ａ）に実装したＬＥＤ照明装置（１０）において、
ＬＥＤ光源（１ａ７）からの光を配光制御するための第１レンズ部（３ａ７）を有する導光レンズ（３ａ）を設け、
第１ＬＥＤ光源（１ａ７）の光軸（１ａ７’）と第１の角度をなして第１ＬＥＤ光源（１ａ７）から上向きに放射された光が入射する第１入射面（３ａ７ａ１）と、第１ＬＥＤ光源（１ａ７）の光軸（１ａ７’）と第１の角度より大きい第２の角度をなして第１ＬＥＤ光源（１ａ７）から上向きに放射された光が入射する第２入射面（３ａ７ｂ）と、第１ＬＥＤ光源（１ａ７）の光軸（１ａ７’）と第３の角度をなして第１ＬＥＤ光源（１ａ７）から下向きに放射された光が入射する第３入射面（３ａ７ａ２）と、第２入射面（３ａ７ｂ）からの光を反射して概略第１ＬＥＤ光源（１ａ７）の光軸（１ａ７’）の方向に進む光にする反射面（３ａ７ｃ）とを導光レンズ（３ａ）の第１レンズ部（３ａ７）に形成し、
第１入射面（３ａ７ａ１）からの光を出射するための反射型第１出射部（３ａ７ｅ１）と、反射面（３ａ７ｃ）からの光を出射するための反射型第２出射部（３ａ７ｅ２）と、第３入射面（３ａ７ａ２）からの光を出射するための反射型第３出射部（３ａ７ｆ）と、第３入射面（３ａ７ａ２）からの光を出射するための屈折型出射部（３ａ７ｇ）とを導光レンズ（３ａ）の第１レンズ部（３ａ７）に形成し、
反射型第２出射部（３ａ７ｅ２）を反射型第１出射部（３ａ７ｅ１）よりも上側に配置し、
反射型第３出射部（３ａ７ｆ）および屈折型出射部（３ａ７ｇ）を反射型第１出射部（３ａ７ｅ１）よりも下側に配置し、
第１入射面（３ａ７ａ１）からの光（Ｌ３ａ７ｅ１）が、反射型第１出射部（３ａ７ｅ１）の反射面（３ａ７ｅ１ａ）によって反射され、次いで、反射型第１出射部（３ａ７ｅ１）の出射面（３ａ７ｅ１ｂ）を透過せしめられ、水平面と、第４の角度をなす下向きの光（Ｌ３ａ７ｅ１’）になって照射され、
反射面（３ａ７ｃ）からの光（Ｌ３ａ７ｅ２）が、反射型第２出射部（３ａ７ｅ２）の反射面（３ａ７ｅ２ａ）によって反射され、次いで、反射型第２出射部（３ａ７ｅ２）の出射面（３ａ７ｅ２ｂ）を透過せしめられ、水平面と、第４の角度とほぼ等しい第５の角度をなす下向きの光（Ｌ３ａ７ｅ２’）になって照射され、
第３入射面（３ａ７ａ２）からの光（Ｌ３ａ７ｆ２ａ）が、反射型第３出射部（３ａ７ｆ）の反射面（３ａ７ｆ１）によって反射され、次いで、反射型第３出射部（３ａ７ｆ）の第１出射面（３ａ７ｆ２ａ）を透過せしめられ、水平面と、第４の角度および第５の角度より大きい第６の角度をなす下向きの光（Ｌ３ａ７ｆ２ａ’）になって照射され、
第３入射面（３ａ７ａ２）からの光（Ｌ３ａ７ｆ２ｂ）が、反射型第３出射部（３ａ７ｆ）の反射面（３ａ７ｆ１）によって反射され、次いで、反射型第３出射部（３ａ７ｆ）の第２出射面（３ａ７ｆ２ｂ）を透過せしめられ、水平面と、第４の角度および第５の角度より大きく、かつ、第６の角度より大きい第７の角度をなす下向きの光（Ｌ３ａ７ｆ２ｂ’）になって照射され、
第３入射面（３ａ７ａ２）からの光（Ｌ３ａ７ｇ）が、屈折型出射部（３ａ７ｇ）の出射面（３ａ７ｇ１）によって屈折せしめられ、水平面と、第７の角度より小さい第８の角度をなす下向きの光（Ｌ３ａ７ｇ’）になって照射されることを特徴とするＬＥＤ照明装置（１０）。
【請求項２】
第１ＬＥＤ光源（１ａ７）の光軸（１ａ７’）と第９の角度をなして第１ＬＥＤ光源（１ａ７）から下向きに放射され、第３入射面（３ａ７ａ２）を透過せしめられた光（Ｌ３ａ７ｇ）が、屈折型出射部（３ａ７ｇ）の出射面（３ａ７ｇ１）によって屈折せしめられ、水平面と、９０°より小さい第８の角度をなす下向きの光（Ｌ３ａ７ｇ’）になって照射され、
第１ＬＥＤ光源（１ａ７）の光軸（１ａ７’）と第９の角度より小さい第１０の角度をなして第１ＬＥＤ光源（１ａ７）から下向きに放射され、第３入射面（３ａ７ａ２）を透過せしめられた光（Ｌ３ａ７ｆ２ｂ）が、反射型第３出射部（３ａ７ｆ）の反射面（３ａ７ｆ１）によって反射され、次いで、反射型第３出射部（３ａ７ｆ）の第２出射面（３ａ７ｆ２ｂ）を透過せしめられ、水平面と９０°をなす下向きの光（Ｌ３ａ７ｆ２ｂ’）になって照射されることを特徴とする請求項１に記載のＬＥＤ照明装置（１０）。
【請求項３】
第１入射面（３ａ７ａ１）または反射面（３ａ７ｃ）からの光を出射するための反射型第４出射部（３ａ７ｅ３）を導光レンズ（３ａ）の第１レンズ部（３ａ７）に形成し、
反射型第４出射部（３ａ７ｅ３）を反射型第１出射部（３ａ７ｅ１）と反射型第２出射部（３ａ７ｅ２）との間に配置し、
反射型第１出射部（３ａ７ｅ１）の反射面（３ａ７ｅ１ａ）と反射型第４出射部（３ａ７ｅ３）の反射面（３ａ７ｅ３ａ）との間に反射型第４出射部（３ａ７ｅ３）の出射面（３ａ７ｅ３ｂ）を配置し、
反射型第２出射部（３ａ７ｅ２）の反射面（３ａ７ｅ２ａ）と反射型第４出射部（３ａ７ｅ３）の反射面（３ａ７ｅ３ａ）との間に反射型第２出射部（３ａ７ｅ２）の出射面（３ａ７ｅ２ｂ）を配置したことを特徴とする請求項１又は２に記載のＬＥＤ照明装置（１０）。
【請求項４】
第２ＬＥＤ光源（１ａ１）の光軸（１ａ１’）が基板（２ａ）に対して垂直になるように第２ＬＥＤ光源（１ａ１）を基板（２ａ）に実装し、
第２ＬＥＤ光源（１ａ１）からの光を配光制御するための第２レンズ部（３ａ１）を導光レンズ（３ａ）に形成し、
第２ＬＥＤ光源（１ａ１）の光軸（１ａ１’）と第１１の角度をなして第２ＬＥＤ光源（１ａ１）から放射された光が入射する第１入射面（３ａ１ａ）と、第２ＬＥＤ光源（１ａ１）の光軸（１ａ１’）と第１１の角度より大きい第１２の角度をなして第２ＬＥＤ光源（１ａ１）から放射された光が入射する第２入射面（３ａ１ｂ）と、第２レンズ部（３ａ１）の第２入射面（３ａ１ｂ）からの光を反射して概略第２ＬＥＤ光源（１ａ１）の光軸（１ａ１’）の方向に進む光にする反射面（３ａ１ｃ）とを第２レンズ部（３ａ１）に形成し、
第２レンズ部（３ａ１）の第１入射面（３ａ１ａ）からの光を出射するための屈折型第１出射部（３ａ１ｄ１）と、第２レンズ部（３ａ１）の反射面（３ａ１ｃ）からの光を出射するための屈折型第２出射部（３ａ１ｄ２）と、第２レンズ部（３ａ１）の第１入射面（３ａ１ａ）からの光を出射するための反射型第１出射部（３ａ１ｅ１）と、第２レンズ部（３ａ１）の反射面（３ａ１ｃ）からの光を出射するための反射型第２出射部（３ａ１ｅ２）とを第２レンズ部（３ａ１）に形成し、
第２レンズ部（３ａ１）の屈折型第２出射部（３ａ１ｄ２）を第２レンズ部（３ａ１）の屈折型第１出射部（３ａ１ｄ１）よりも上側に配置し、
第２レンズ部（３ａ１）の反射型第１出射部（３ａ１ｅ１）を第２レンズ部（３ａ１）の屈折型第１出射部（３ａ１ｄ１）よりも下側に配置し、
第２レンズ部（３ａ１）の反射型第２出射部（３ａ１ｅ２）を第２レンズ部（３ａ１）の反射型第１出射部（３ａ１ｅ１）よりも下側に配置し、
第２レンズ部（３ａ１）の第１入射面（３ａ１ａ）からの光（Ｌ３ａ１ｄ１）が、第２レンズ部（３ａ１）の屈折型第１出射部（３ａ１ｄ１）の出射面（３ａ１ｄ１ａ）によって屈折せしめられ、水平面と第１３の角度をなす下向きの光（Ｌ３ａ１ｄ１’）になって照射され、
第２レンズ部（３ａ１）の反射面（３ａ１ｃ）からの光（Ｌ３ａ１ｄ２）が、第２レンズ部（３ａ１）の屈折型第２出射部（３ａ１ｄ２）の出射面（３ａ１ｄ２ａ）によって屈折せしめられ、水平面と、第１３の角度より小さい第１４の角度をなす下向きの光（Ｌ３ａ１ｄ２’）になって照射され、
第２レンズ部（３ａ１）の第１入射面（３ａ１ａ）からの光（Ｌ３ａ１ｅ１）が、第２レンズ部（３ａ１）の反射型第１出射部（３ａ１ｅ１）の反射面（３ａ１ｅ１ａ）によって反射され、次いで、第２レンズ部（３ａ１）の反射型第１出射部（３ａ１ｅ１）の出射面（３ａ１ｅ１ｂ）を透過せしめられ、水平面と、第１３の角度および第１４の角度より大きい第１５の角度をなす下向きの光（Ｌ３ａ１ｅ１’）になって照射され、
第２レンズ部（３ａ１）の反射面（３ａ１ｃ）からの光（Ｌ３ａ１ｅ２）が、第２レンズ部（３ａ１）の反射型第２出射部（３ａ１ｅ２）の反射面（３ａ１ｅ２ａ）によって反射され、次いで、第２レンズ部（３ａ１）の反射型第２出射部（３ａ１ｅ２）の出射面（３ａ１ｅ２ｂ）を透過せしめられ、水平面と、第１３の角度および第１４の角度より大きく、かつ、第１５の角度より大きい第１６の角度をなす下向きの光（Ｌ３ａ１ｅ２’）になって照射されることを特徴とするＬＥＤ照明装置（１０）。
【請求項５】
第２レンズ部（３ａ１）の第１入射面（３ａ１ａ）または反射面（３ａ１ｃ）からの光を出射するための屈折型第３出射部（３ａ１ｄ３）と、第２レンズ部（３ａ１）の第１入射面（３ａ１ａ）または反射面（３ａ１ｃ）からの光を出射するための反射型第３出射部（３ａ１ｅ３）とを第２レンズ部（３ａ１）に形成し、
第２レンズ部（３ａ１）の屈折型第３出射部（３ａ１ｄ３）を第２レンズ部（３ａ１）の屈折型第１出射部（３ａ１ｄ１）と第２レンズ部（３ａ１）の屈折型第２出射部（３ａ１ｄ２）との間に配置し、
第２レンズ部（３ａ１）の反射型第３出射部（３ａ１ｅ３）を第２レンズ部（３ａ１）の反射型第１出射部（３ａ１ｅ１）と第２レンズ部（３ａ１）の反射型第２出射部（３ａ１ｅ２）との間に配置し、
第２レンズ部（３ａ１）の第１入射面（３ａ１ａ）または反射面（３ａ１ｃ）からの光（Ｌ３ａ１ｄ３）が、第２レンズ部（３ａ１）の屈折型第３出射部（３ａ１ｄ３）の出射面（３ａ１ｄ３ａ）によって屈折せしめられ、水平面と、第１３の角度より小さく第１４の角度より大きい第１７の角度をなす下向きの光（Ｌ３ａ１ｄ３’）になって照射され、
第２レンズ部（３ａ１）の第１入射面（３ａ１ａ）または反射面（３ａ１ｃ）からの光（Ｌ３ａ１ｅ３）が、第２レンズ部（３ａ１）の反射型第３出射部（３ａ１ｅ３）の反射面（３ａ１ｅ３ａ）によって反射され、次いで、第２レンズ部（３ａ１）の反射型第３出射部（３ａ１ｅ３）の出射面（３ａ１ｅ３ｂ）を透過せしめられ、水平面と、第１５の角度より大きく第１６の角度より小さい第１８の角度をなす下向きの光（Ｌ３ａ１ｅ３’）になって照射されることを特徴とする請求項４に記載のＬＥＤ照明装置（１０）。
【請求項６】
第２レンズ部（３ａ１）の反射面（３ａ１ｃ）からの光を出射するための屈折型第４出射部（３ａ１ｄ４）と、第２レンズ部（３ａ１）の反射面（３ａ１ｃ）からの光を出射するための反射型第４出射部（３ａ１ｅ４）とを第２レンズ部（３ａ１）に形成し、
第２レンズ部（３ａ１）の屈折型第４出射部（３ａ１ｄ４）を第２レンズ部（３ａ１）の屈折型第２出射部（３ａ１ｄ２）よりも上側に配置し、
第２レンズ部（３ａ１）の反射型第４出射部（３ａ１ｅ４）を第２レンズ部（３ａ１）の反射型第２出射部（３ａ１ｅ２）よりも下側に配置し、
第２レンズ部（３ａ１）の反射面（３ａ１ｃ）からの光（Ｌ３ａ１ｄ４）が、第２レンズ部（３ａ１）の屈折型第４出射部（３ａ１ｄ４）の出射面（３ａ１ｄ４ａ）によって屈折せしめられ、水平面と、第１４の角度より小さい第１９の角度をなす下向きの光（Ｌ３ａ１ｄ４’）になって照射され、
第２レンズ部（３ａ１）の反射面（３ａ１ｃ）からの光（Ｌ３ａ１ｅ４）が、第２レンズ部（３ａ１）の反射型第４出射部（３ａ１ｅ４）の反射面（３ａ１ｅ４ａ）によって反射され、次いで、第２レンズ部（３ａ１）の反射型第４出射部（３ａ１ｅ４）の出射面（３ａ１ｅ４ｂ）を透過せしめられ、水平面と、第１６の角度より大きい第２０の角度をなす下向きの光（Ｌ３ａ１ｅ４’）になって照射されることを特徴とする請求項５に記載のＬＥＤ照明装置（１０）。
【請求項７】
第２レンズ部（３ａ１）の反射面（３ａ１ｃ）からの光を出射するための屈折型第５出射部（３ａ１ｄ５）と、第２レンズ部（３ａ１）の反射面（３ａ１ｃ）からの光を出射するための反射型第５出射部（３ａ１ｅ５）とを第２レンズ部（３ａ１）に形成し、
第２レンズ部（３ａ１）の屈折型第５出射部（３ａ１ｄ５）を第２レンズ部（３ａ１）の屈折型第２出射部（３ａ１ｄ２）と第２レンズ部（３ａ１）の屈折型第４出射部（３ａ１ｄ４）との間に配置し、
第２レンズ部（３ａ１）の反射型第５出射部（３ａ１ｅ５）を第２レンズ部（３ａ１）の反射型第２出射部（３ａ１ｅ２）と第２レンズ部（３ａ１）の反射型第４出射部（３ａ１ｅ４）との間に配置し、
第２レンズ部（３ａ１）の反射面（３ａ１ｃ）からの光（Ｌ３ａ１ｄ５）が、第２レンズ部（３ａ１）の屈折型第５出射部（３ａ１ｄ５）の出射面（３ａ１ｄ５ａ）によって屈折せしめられ、水平面と、第１４の角度より小さく第１９の角度より大きい第２１の角度をなす下向きの光（Ｌ３ａ１ｄ５’）になって照射され、
第２レンズ部（３ａ１）の反射面（３ａ１ｃ）からの光（Ｌ３ａ１ｅ５）が、第２レンズ部（３ａ１）の反射型第５出射部（３ａ１ｅ５）の反射面（３ａ１ｅ５ａ）によって反射され、次いで、第２レンズ部（３ａ１）の反射型第５出射部（３ａ１ｅ５）の出射面（３ａ１ｅ５ｂ）を透過せしめられ、水平面と、第１６の角度より大きく第２０の角度より小さい第２２の角度をなす下向きの光（Ｌ３ａ１ｅ５’）になって照射されることを特徴とする請求項６に記載のＬＥＤ照明装置（１０）。
【請求項８】
正Ｎ（Ｎは３以上の整数）角形の先端面（６ｚ）と、Ｎ個の長方形の側面（６ａ，６ｂ，６ｃ，６ｄ）とを有する正Ｎ角柱状の支持部（６）を具備し、
水平面に対して垂直になるように、かつ、（３６０／Ｎ）°回転対称の関係を有するように、第１から第Ｎの板状の基板（２ａ，２ｂ，２ｃ，２ｄ）を正Ｎ角柱状の支持部（６）のＮ個の長方形の側面（６ａ，６ｂ，６ｃ，６ｄ）上に配置し、
第１ＬＥＤ光源（１ａ７）の光軸（１ａ７’）および第２ＬＥＤ光源（１ａ１）の光軸（１ａ１’）が第１の板状の基板（２ａ）に対して垂直になるように、第１ＬＥＤ光源（１ａ７）および第２ＬＥＤ光源（１ａ１）を第１の板状の基板（２ａ）に実装し、
第１の板状の基板（２ａ）に実装された第１ＬＥＤ光源（１ａ７）および第２ＬＥＤ光源（１ａ１）と（３６０／Ｎ）°回転対称の関係を有する複数のＬＥＤ光源（１ｂ７，１ｃ７，１ｄ７，１ｂ１，１ｃ１，１ｄ１）を第２から第Ｎの板状の基板（２ｂ，２ｃ，２ｄ）に実装し、
各ＬＥＤ光源（１ａ７，１ｂ７，１ｃ７，１ｄ７，１ａ１，１ｂ１，１ｃ１，１ｄ１）に電流を供給するための口金（７）を具備するＬＥＤ照明装置（１０）において、
各ＬＥＤ光源（１ａ７，１ｂ７，１ｃ７，１ｄ７，１ａ１，１ｂ１，１ｃ１，１ｄ１）からの光を配光制御するための第１から第Ｎの導光レンズ（３ａ，３ｂ，３ｃ，３ｄ）を、（３６０／Ｎ）°回転対称の関係を有するように配置し、
第１の板状の基板（２ａ）に実装された第１ＬＥＤ光源（１ａ７）の光軸（１ａ７’）と第１の角度をなして第１ＬＥＤ光源（１ａ７）から上向きに放射された光が入射する第１入射面（３ａ７ａ１）と、第１ＬＥＤ光源（１ａ７）の光軸（１ａ７’）と第１の角度より大きい第２の角度をなして第１ＬＥＤ光源（１ａ７）から上向きに放射された光が入射する第２入射面（３ａ７ｂ）と、第１ＬＥＤ光源（１ａ７）の光軸（１ａ７’）と第３の角度をなして第１ＬＥＤ光源（１ａ７）から下向きに放射された光が入射する第３入射面（３ａ７ａ２）と、第２入射面（３ａ７ｂ）からの光を反射して概略第１ＬＥＤ光源（１ａ７）の光軸（１ａ７’）の方向に進む光にする反射面（３ａ７ｃ）とを第１の導光レンズ（３ａ）の第１レンズ部（３ａ７）に形成し、
第１入射面（３ａ７ａ１）からの光を出射するための反射型第１出射部（３ａ７ｅ１）と、反射面（３ａ７ｃ）からの光を出射するための反射型第２出射部（３ａ７ｅ２）と、第３入射面（３ａ７ａ２）からの光を出射するための反射型第３出射部（３ａ７ｆ）と、第３入射面（３ａ７ａ２）からの光を出射するための屈折型出射部（３ａ７ｇ）とを第１の導光レンズ（３ａ）の第１レンズ部（３ａ７）に形成し、
反射型第２出射部（３ａ７ｅ２）を反射型第１出射部（３ａ７ｅ１）よりも上側に配置し、
反射型第３出射部（３ａ７ｆ）および屈折型出射部（３ａ７ｇ）を反射型第１出射部（３ａ７ｅ１）よりも下側に配置し、
第１入射面（３ａ７ａ１）からの光（Ｌ３ａ７ｅ１）が、反射型第１出射部（３ａ７ｅ１）の反射面（３ａ７ｅ１ａ）によって反射され、次いで、反射型第１出射部（３ａ７ｅ１）の出射面（３ａ７ｅ１ｂ）を透過せしめられ、水平面と、第４の角度をなす下向きの光（Ｌ３ａ７ｅ１’）になって照射され、
反射面（３ａ７ｃ）からの光（Ｌ３ａ７ｅ２）が、反射型第２出射部（３ａ７ｅ２）の反射面（３ａ７ｅ２ａ）によって反射され、次いで、反射型第２出射部（３ａ７ｅ２）の出射面（３ａ７ｅ２ｂ）を透過せしめられ、水平面と、第４の角度とほぼ等しい第５の角度をなす下向きの光（Ｌ３ａ７ｅ２’）になって照射され、
第３入射面（３ａ７ａ２）からの光（Ｌ３ａ７ｆ２ａ）が、反射型第３出射部（３ａ７ｆ）の反射面（３ａ７ｆ１）によって反射され、次いで、反射型第３出射部（３ａ７ｆ）の第１出射面（３ａ７ｆ２ａ）を透過せしめられ、水平面と、第４の角度および第５の角度より大きい第６の角度をなす下向きの光（Ｌ３ａ７ｆ２ａ’）になって照射され、
第３入射面（３ａ７ａ２）からの光（Ｌ３ａ７ｆ２ｂ）が、反射型第３出射部（３ａ７ｆ）の反射面（３ａ７ｆ１）によって反射され、次いで、反射型第３出射部（３ａ７ｆ）の第２出射面（３ａ７ｆ２ｂ）を透過せしめられ、水平面と、第４の角度および第５の角度より大きく、かつ、第６の角度より大きい第７の角度をなす下向きの光（Ｌ３ａ７ｆ２ｂ’）になって照射され、
第３入射面（３ａ７ａ２）からの光（Ｌ３ａ７ｇ）が、屈折型出射部（３ａ７ｇ）の出射面（３ａ７ｇ１）によって屈折せしめられ、水平面と、第７の角度より小さい第８の角度をなす下向きの光（Ｌ３ａ７ｇ’）になって照射され、
第１の板状の基板（２ａ）に実装された第２ＬＥＤ光源（１ａ１）の光軸（１ａ１’）と第９の角度をなして第２ＬＥＤ光源（１ａ１）から放射された光が入射する第１入射面（３ａ１ａ）と、第２ＬＥＤ光源（１ａ１）の光軸（１ａ１’）と第９の角度より大きい第１０の角度をなして第２ＬＥＤ光源（１ａ１）から放射された光が入射する第２入射面（３ａ１ｂ）と、第２レンズ部（３ａ１）の第２入射面（３ａ１ｂ）からの光を反射して概略第２ＬＥＤ光源（１ａ１）の光軸（１ａ１’）の方向に進む光にする反射面（３ａ１ｃ）とを第１の導光レンズ（３ａ）の第２レンズ部（３ａ１）に形成し、
第２レンズ部（３ａ１）の第１入射面（３ａ１ａ）からの光を出射するための屈折型第１出射部（３ａ１ｄ１）と、第２レンズ部（３ａ１）の反射面（３ａ１ｃ）からの光を出射するための屈折型第２出射部（３ａ１ｄ２）と、第２レンズ部（３ａ１）の第１入射面（３ａ１ａ）からの光を出射するための反射型第１出射部（３ａ１ｅ１）と、第２レンズ部（３ａ１）の反射面（３ａ１ｃ）からの光を出射するための反射型第２出射部（３ａ１ｅ２）とを第２レンズ部（３ａ１）に形成し、
第２レンズ部（３ａ１）の屈折型第２出射部（３ａ１ｄ２）を第２レンズ部（３ａ１）の屈折型第１出射部（３ａ１ｄ１）よりも上側に配置し、
第２レンズ部（３ａ１）の反射型第１出射部（３ａ１ｅ１）を第２レンズ部（３ａ１）の屈折型第１出射部（３ａ１ｄ１）よりも下側に配置し、
第２レンズ部（３ａ１）の反射型第２出射部（３ａ１ｅ２）を第２レンズ部（３ａ１）の反射型第１出射部（３ａ１ｅ１）よりも下側に配置し、
第２レンズ部（３ａ１）の第１入射面（３ａ１ａ）からの光（Ｌ３ａ１ｄ１）が、第２レンズ部（３ａ１）の屈折型第１出射部（３ａ１ｄ１）の出射面（３ａ１ｄ１ａ）によって屈折せしめられ、水平面と第１１の角度をなす下向きの光（Ｌ３ａ１ｄ１’）になって照射され、
第２レンズ部（３ａ１）の反射面（３ａ１ｃ）からの光（Ｌ３ａ１ｄ２）が、第２レンズ部（３ａ１）の屈折型第２出射部（３ａ１ｄ２）の出射面（３ａ１ｄ２ａ）によって屈折せしめられ、水平面と、第１１の角度より小さい第１２の角度をなす下向きの光（Ｌ３ａ１ｄ２’）になって照射され、
第２レンズ部（３ａ１）の第１入射面（３ａ１ａ）からの光（Ｌ３ａ１ｅ１）が、第２レンズ部（３ａ１）の反射型第１出射部（３ａ１ｅ１）の反射面（３ａ１ｅ１ａ）によって反射され、次いで、第２レンズ部（３ａ１）の反射型第１出射部（３ａ１ｅ１）の出射面（３ａ１ｅ１ｂ）を透過せしめられ、水平面と、第１１の角度および第１２の角度より大きい第１３の角度をなす下向きの光（Ｌ３ａ１ｅ１’）になって照射され、
第２レンズ部（３ａ１）の反射面（３ａ１ｃ）からの光（Ｌ３ａ１ｅ２）が、第２レンズ部（３ａ１）の反射型第２出射部（３ａ１ｅ２）の反射面（３ａ１ｅ２ａ）によって反射され、次いで、第２レンズ部（３ａ１）の反射型第２出射部（３ａ１ｅ２）の出射面（３ａ１ｅ２ｂ）を透過せしめられ、水平面と、第１１の角度および第１２の角度より大きく、かつ、第１３の角度より大きい第１４の角度をなす下向きの光（Ｌ３ａ１ｅ２’）になって照射されることを特徴とするＬＥＤ照明装置（１０）。
【発明の詳細な説明】
【技術分野】
【０００１】
本発明は、水平面に対して垂直に配置された板状の基板を具備し、ＬＥＤ光源の光軸が基板に対して垂直になるようにＬＥＤ光源が基板に実装されたＬＥＤ照明装置に関する。
【０００２】
特に、本発明は、光軸が下向きに指向せしめられたＬＥＤ光源を設ける必要なく水平面と様々な角度をなす下向きの光を照射することができるＬＥＤ照明装置に関する。
【背景技術】
【０００３】
従来から、水平面に対して垂直に配置された板状の基板を具備し、ＬＥＤ光源の光軸が基板に対して垂直になるようにＬＥＤ光源が基板に実装されたＬＥＤ照明装置が知られている。この種のＬＥＤ照明装置の例としては、例えば特許文献１（特開２０１０−１７９６６４号公報）に記載されたものがある。
【０００４】
特許文献１に記載されたＬＥＤ照明装置では、水平面に対して垂直に配置された基板に実装されたＬＥＤ光源の光軸が、水平に指向せしめられている。そのため、垂直な基板に実装されたＬＥＤ光源からの光の一部が下向きに照射される。また、特許文献１に記載されたＬＥＤ照明装置では、水平面に対して垂直に配置された基板とは別個に、水平面に対して鋭角をなすように配置された基板が設けられており、その基板の下側の面にＬＥＤ光源が実装されている。更に、その基板に実装されたＬＥＤ光源からの光が下向きに照射される。その結果、特許文献１に記載されたＬＥＤ照明装置では、垂直な基板に実装されたＬＥＤ光源および水平面に対して鋭角をなす基板に実装されたＬＥＤ光源から、水平面と様々な角度をなす下向きの光を照射することができる。
【先行技術文献】
【特許文献】
【０００５】
【特許文献１】特開２０１０−１７９６６４号公報
【特許文献２】特開２０１０−１８２７９６号公報
【発明の概要】
【発明が解決しようとする課題】
【０００６】
ところで、特許文献１に記載されたＬＥＤ照明装置では、水平面と様々な角度をなす下向きの光を照射するために、光軸が水平に指向せしめられたＬＥＤ光源とは別個に、光軸が下向きに指向せしめられたＬＥＤ光源を設ける必要がある。その結果、特許文献１に記載されたＬＥＤ照明装置では、ＬＥＤ照明装置全体のコストが嵩んでしまう。
【０００７】
前記問題点に鑑み、本発明は、光軸が下向きに指向せしめられたＬＥＤ光源を設ける必要なく水平面と様々な角度をなす下向きの光を照射することができるＬＥＤ照明装置を提供することを目的とする。
【０００８】
詳細には、本発明は、光軸が下向きに指向せしめられたＬＥＤ光源を実装するための基板を、光軸が水平に指向せしめられたＬＥＤ光源を実装するための基板とは別個に設ける必要なく、水平面と様々な角度をなす下向きの光を照射することができるＬＥＤ照明装置を提供することを目的とする。
【０００９】
すなわち、本発明は、基板の数を削減しつつ、水平面と様々な角度をなす下向きの光を照射することができるＬＥＤ照明装置を提供することを目的とする。
【課題を解決するための手段】
【００１０】
請求項１に記載の発明によれば、板状の基板（２ａ）を水平面に対して垂直に配置し、第１ＬＥＤ光源（１ａ７）の光軸（１ａ７’）が基板（２ａ）に対して垂直になるように第１ＬＥＤ光源（１ａ７）を基板（２ａ）に実装したＬＥＤ照明装置（１０）において、
ＬＥＤ光源（１ａ７）からの光を配光制御するための第１レンズ部（３ａ７）を有する導光レンズ（３ａ）を設け、
第１ＬＥＤ光源（１ａ７）の光軸（１ａ７’）と第１の角度をなして第１ＬＥＤ光源（１ａ７）から上向きに放射された光が入射する第１入射面（３ａ７ａ１）と、第１ＬＥＤ光源（１ａ７）の光軸（１ａ７’）と第１の角度より大きい第２の角度をなして第１ＬＥＤ光源（１ａ７）から上向きに放射された光が入射する第２入射面（３ａ７ｂ）と、第１ＬＥＤ光源（１ａ７）の光軸（１ａ７’）と第３の角度をなして第１ＬＥＤ光源（１ａ７）から下向きに放射された光が入射する第３入射面（３ａ７ａ２）と、第２入射面（３ａ７ｂ）からの光を反射して概略第１ＬＥＤ光源（１ａ７）の光軸（１ａ７’）の方向に進む光にする反射面（３ａ７ｃ）とを導光レンズ（３ａ）の第１レンズ部（３ａ７）に形成し、
第１入射面（３ａ７ａ１）からの光を出射するための反射型第１出射部（３ａ７ｅ１）と、反射面（３ａ７ｃ）からの光を出射するための反射型第２出射部（３ａ７ｅ２）と、第３入射面（３ａ７ａ２）からの光を出射するための反射型第３出射部（３ａ７ｆ）と、第３入射面（３ａ７ａ２）からの光を出射するための屈折型出射部（３ａ７ｇ）とを導光レンズ（３ａ）の第１レンズ部（３ａ７）に形成し、
反射型第２出射部（３ａ７ｅ２）を反射型第１出射部（３ａ７ｅ１）よりも上側に配置し、
反射型第３出射部（３ａ７ｆ）および屈折型出射部（３ａ７ｇ）を反射型第１出射部（３ａ７ｅ１）よりも下側に配置し、
第１入射面（３ａ７ａ１）からの光（Ｌ３ａ７ｅ１）が、反射型第１出射部（３ａ７ｅ１）の反射面（３ａ７ｅ１ａ）によって反射され、次いで、反射型第１出射部（３ａ７ｅ１）の出射面（３ａ７ｅ１ｂ）を透過せしめられ、水平面と、第４の角度をなす下向きの光（Ｌ３ａ７ｅ１’）になって照射され、
反射面（３ａ７ｃ）からの光（Ｌ３ａ７ｅ２）が、反射型第２出射部（３ａ７ｅ２）の反射面（３ａ７ｅ２ａ）によって反射され、次いで、反射型第２出射部（３ａ７ｅ２）の出射面（３ａ７ｅ２ｂ）を透過せしめられ、水平面と、第４の角度とほぼ等しい第５の角度をなす下向きの光（Ｌ３ａ７ｅ２’）になって照射され、
第３入射面（３ａ７ａ２）からの光（Ｌ３ａ７ｆ２ａ）が、反射型第３出射部（３ａ７ｆ）の反射面（３ａ７ｆ１）によって反射され、次いで、反射型第３出射部（３ａ７ｆ）の第１出射面（３ａ７ｆ２ａ）を透過せしめられ、水平面と、第４の角度および第５の角度より大きい第６の角度をなす下向きの光（Ｌ３ａ７ｆ２ａ’）になって照射され、
第３入射面（３ａ７ａ２）からの光（Ｌ３ａ７ｆ２ｂ）が、反射型第３出射部（３ａ７ｆ）の反射面（３ａ７ｆ１）によって反射され、次いで、反射型第３出射部（３ａ７ｆ）の第２出射面（３ａ７ｆ２ｂ）を透過せしめられ、水平面と、第４の角度および第５の角度より大きく、かつ、第６の角度より大きい第７の角度をなす下向きの光（Ｌ３ａ７ｆ２ｂ’）になって照射され、
第３入射面（３ａ７ａ２）からの光（Ｌ３ａ７ｇ）が、屈折型出射部（３ａ７ｇ）の出射面（３ａ７ｇ１）によって屈折せしめられ、水平面と、第７の角度より小さい第８の角度をなす下向きの光（Ｌ３ａ７ｇ’）になって照射されることを特徴とするＬＥＤ照明装置（１０）が提供される。
【００１１】
請求項２に記載の発明によれば、第１ＬＥＤ光源（１ａ７）の光軸（１ａ７’）と第９の角度をなして第１ＬＥＤ光源（１ａ７）から下向きに放射され、第３入射面（３ａ７ａ２）を透過せしめられた光（Ｌ３ａ７ｇ）が、屈折型出射部（３ａ７ｇ）の出射面（３ａ７ｇ１）によって屈折せしめられ、水平面と、９０°より小さい第８の角度をなす下向きの光（Ｌ３ａ７ｇ’）になって照射され、
第１ＬＥＤ光源（１ａ７）の光軸（１ａ７’）と第９の角度より小さい第１０の角度をなして第１ＬＥＤ光源（１ａ７）から下向きに放射され、第３入射面（３ａ７ａ２）を透過せしめられた光（Ｌ３ａ７ｆ２ｂ）が、反射型第３出射部（３ａ７ｆ）の反射面（３ａ７ｆ１）によって反射され、次いで、反射型第３出射部（３ａ７ｆ）の第２出射面（３ａ７ｆ２ｂ）を透過せしめられ、水平面と９０°をなす下向きの光（Ｌ３ａ７ｆ２ｂ’）になって照射されることを特徴とする請求項１に記載のＬＥＤ照明装置（１０）が提供される。
【００１２】
請求項３に記載の発明によれば、第１入射面（３ａ７ａ１）または反射面（３ａ７ｃ）からの光を出射するための反射型第４出射部（３ａ７ｅ３）を導光レンズ（３ａ）の第１レンズ部（３ａ７）に形成し、
反射型第４出射部（３ａ７ｅ３）を反射型第１出射部（３ａ７ｅ１）と反射型第２出射部（３ａ７ｅ２）との間に配置し、
反射型第１出射部（３ａ７ｅ１）の反射面（３ａ７ｅ１ａ）と反射型第４出射部（３ａ７ｅ３）の反射面（３ａ７ｅ３ａ）との間に反射型第４出射部（３ａ７ｅ３）の出射面（３ａ７ｅ３ｂ）を配置し、
反射型第２出射部（３ａ７ｅ２）の反射面（３ａ７ｅ２ａ）と反射型第４出射部（３ａ７ｅ３）の反射面（３ａ７ｅ３ａ）との間に反射型第２出射部（３ａ７ｅ２）の出射面（３ａ７ｅ２ｂ）を配置したことを特徴とする請求項１又は２に記載のＬＥＤ照明装置（１０）が提供される。
【００１３】
請求項４に記載の発明によれば、第２ＬＥＤ光源（１ａ１）の光軸（１ａ１’）が基板（２ａ）に対して垂直になるように第２ＬＥＤ光源（１ａ１）を基板（２ａ）に実装し、
第２ＬＥＤ光源（１ａ１）からの光を配光制御するための第２レンズ部（３ａ１）を導光レンズ（３ａ）に形成し、
第２ＬＥＤ光源（１ａ１）の光軸（１ａ１’）と第１１の角度をなして第２ＬＥＤ光源（１ａ１）から放射された光が入射する第１入射面（３ａ１ａ）と、第２ＬＥＤ光源（１ａ１）の光軸（１ａ１’）と第１１の角度より大きい第１２の角度をなして第２ＬＥＤ光源（１ａ１）から放射された光が入射する第２入射面（３ａ１ｂ）と、第２レンズ部（３ａ１）の第２入射面（３ａ１ｂ）からの光を反射して概略第２ＬＥＤ光源（１ａ１）の光軸（１ａ１’）の方向に進む光にする反射面（３ａ１ｃ）とを第２レンズ部（３ａ１）に形成し、
第２レンズ部（３ａ１）の第１入射面（３ａ１ａ）からの光を出射するための屈折型第１出射部（３ａ１ｄ１）と、第２レンズ部（３ａ１）の反射面（３ａ１ｃ）からの光を出射するための屈折型第２出射部（３ａ１ｄ２）と、第２レンズ部（３ａ１）の第１入射面（３ａ１ａ）からの光を出射するための反射型第１出射部（３ａ１ｅ１）と、第２レンズ部（３ａ１）の反射面（３ａ１ｃ）からの光を出射するための反射型第２出射部（３ａ１ｅ２）とを第２レンズ部（３ａ１）に形成し、
第２レンズ部（３ａ１）の屈折型第２出射部（３ａ１ｄ２）を第２レンズ部（３ａ１）の屈折型第１出射部（３ａ１ｄ１）よりも上側に配置し、
第２レンズ部（３ａ１）の反射型第１出射部（３ａ１ｅ１）を第２レンズ部（３ａ１）の屈折型第１出射部（３ａ１ｄ１）よりも下側に配置し、
第２レンズ部（３ａ１）の反射型第２出射部（３ａ１ｅ２）を第２レンズ部（３ａ１）の反射型第１出射部（３ａ１ｅ１）よりも下側に配置し、
第２レンズ部（３ａ１）の第１入射面（３ａ１ａ）からの光（Ｌ３ａ１ｄ１）が、第２レンズ部（３ａ１）の屈折型第１出射部（３ａ１ｄ１）の出射面（３ａ１ｄ１ａ）によって屈折せしめられ、水平面と第１３の角度をなす下向きの光（Ｌ３ａ１ｄ１’）になって照射され、
第２レンズ部（３ａ１）の反射面（３ａ１ｃ）からの光（Ｌ３ａ１ｄ２）が、第２レンズ部（３ａ１）の屈折型第２出射部（３ａ１ｄ２）の出射面（３ａ１ｄ２ａ）によって屈折せしめられ、水平面と、第１３の角度より小さい第１４の角度をなす下向きの光（Ｌ３ａ１ｄ２’）になって照射され、
第２レンズ部（３ａ１）の第１入射面（３ａ１ａ）からの光（Ｌ３ａ１ｅ１）が、第２レンズ部（３ａ１）の反射型第１出射部（３ａ１ｅ１）の反射面（３ａ１ｅ１ａ）によって反射され、次いで、第２レンズ部（３ａ１）の反射型第１出射部（３ａ１ｅ１）の出射面（３ａ１ｅ１ｂ）を透過せしめられ、水平面と、第１３の角度および第１４の角度より大きい第１５の角度をなす下向きの光（Ｌ３ａ１ｅ１’）になって照射され、
第２レンズ部（３ａ１）の反射面（３ａ１ｃ）からの光（Ｌ３ａ１ｅ２）が、第２レンズ部（３ａ１）の反射型第２出射部（３ａ１ｅ２）の反射面（３ａ１ｅ２ａ）によって反射され、次いで、第２レンズ部（３ａ１）の反射型第２出射部（３ａ１ｅ２）の出射面（３ａ１ｅ２ｂ）を透過せしめられ、水平面と、第１３の角度および第１４の角度より大きく、かつ、第１５の角度より大きい第１６の角度をなす下向きの光（Ｌ３ａ１ｅ２’）になって照射されることを特徴とするＬＥＤ照明装置（１０）が提供される。
【００１４】
請求項５に記載の発明によれば、第２レンズ部（３ａ１）の第１入射面（３ａ１ａ）または反射面（３ａ１ｃ）からの光を出射するための屈折型第３出射部（３ａ１ｄ３）と、第２レンズ部（３ａ１）の第１入射面（３ａ１ａ）または反射面（３ａ１ｃ）からの光を出射するための反射型第３出射部（３ａ１ｅ３）とを第２レンズ部（３ａ１）に形成し、
第２レンズ部（３ａ１）の屈折型第３出射部（３ａ１ｄ３）を第２レンズ部（３ａ１）の屈折型第１出射部（３ａ１ｄ１）と第２レンズ部（３ａ１）の屈折型第２出射部（３ａ１ｄ２）との間に配置し、
第２レンズ部（３ａ１）の反射型第３出射部（３ａ１ｅ３）を第２レンズ部（３ａ１）の反射型第１出射部（３ａ１ｅ１）と第２レンズ部（３ａ１）の反射型第２出射部（３ａ１ｅ２）との間に配置し、
第２レンズ部（３ａ１）の第１入射面（３ａ１ａ）または反射面（３ａ１ｃ）からの光（Ｌ３ａ１ｄ３）が、第２レンズ部（３ａ１）の屈折型第３出射部（３ａ１ｄ３）の出射面（３ａ１ｄ３ａ）によって屈折せしめられ、水平面と、第１３の角度より小さく第１４の角度より大きい第１７の角度をなす下向きの光（Ｌ３ａ１ｄ３’）になって照射され、
第２レンズ部（３ａ１）の第１入射面（３ａ１ａ）または反射面（３ａ１ｃ）からの光（Ｌ３ａ１ｅ３）が、第２レンズ部（３ａ１）の反射型第３出射部（３ａ１ｅ３）の反射面（３ａ１ｅ３ａ）によって反射され、次いで、第２レンズ部（３ａ１）の反射型第３出射部（３ａ１ｅ３）の出射面（３ａ１ｅ３ｂ）を透過せしめられ、水平面と、第１５の角度より大きく第１６の角度より小さい第１８の角度をなす下向きの光（Ｌ３ａ１ｅ３’）になって照射されることを特徴とする請求項４に記載のＬＥＤ照明装置（１０）が提供される。
【００１５】
請求項６に記載の発明によれば、第２レンズ部（３ａ１）の反射面（３ａ１ｃ）からの光を出射するための屈折型第４出射部（３ａ１ｄ４）と、第２レンズ部（３ａ１）の反射面（３ａ１ｃ）からの光を出射するための反射型第４出射部（３ａ１ｅ４）とを第２レンズ部（３ａ１）に形成し、
第２レンズ部（３ａ１）の屈折型第４出射部（３ａ１ｄ４）を第２レンズ部（３ａ１）の屈折型第２出射部（３ａ１ｄ２）よりも上側に配置し、
第２レンズ部（３ａ１）の反射型第４出射部（３ａ１ｅ４）を第２レンズ部（３ａ１）の反射型第２出射部（３ａ１ｅ２）よりも下側に配置し、
第２レンズ部（３ａ１）の反射面（３ａ１ｃ）からの光（Ｌ３ａ１ｄ４）が、第２レンズ部（３ａ１）の屈折型第４出射部（３ａ１ｄ４）の出射面（３ａ１ｄ４ａ）によって屈折せしめられ、水平面と、第１４の角度より小さい第１９の角度をなす下向きの光（Ｌ３ａ１ｄ４’）になって照射され、
第２レンズ部（３ａ１）の反射面（３ａ１ｃ）からの光（Ｌ３ａ１ｅ４）が、第２レンズ部（３ａ１）の反射型第４出射部（３ａ１ｅ４）の反射面（３ａ１ｅ４ａ）によって反射され、次いで、第２レンズ部（３ａ１）の反射型第４出射部（３ａ１ｅ４）の出射面（３ａ１ｅ４ｂ）を透過せしめられ、水平面と、第１６の角度より大きい第２０の角度をなす下向きの光（Ｌ３ａ１ｅ４’）になって照射されることを特徴とする請求項５に記載のＬＥＤ照明装置（１０）が提供される。
【００１６】
請求項７に記載の発明によれば、第２レンズ部（３ａ１）の反射面（３ａ１ｃ）からの光を出射するための屈折型第５出射部（３ａ１ｄ５）と、第２レンズ部（３ａ１）の反射面（３ａ１ｃ）からの光を出射するための反射型第５出射部（３ａ１ｅ５）とを第２レンズ部（３ａ１）に形成し、
第２レンズ部（３ａ１）の屈折型第５出射部（３ａ１ｄ５）を第２レンズ部（３ａ１）の屈折型第２出射部（３ａ１ｄ２）と第２レンズ部（３ａ１）の屈折型第４出射部（３ａ１ｄ４）との間に配置し、
第２レンズ部（３ａ１）の反射型第５出射部（３ａ１ｅ５）を第２レンズ部（３ａ１）の反射型第２出射部（３ａ１ｅ２）と第２レンズ部（３ａ１）の反射型第４出射部（３ａ１ｅ４）との間に配置し、
第２レンズ部（３ａ１）の反射面（３ａ１ｃ）からの光（Ｌ３ａ１ｄ５）が、第２レンズ部（３ａ１）の屈折型第５出射部（３ａ１ｄ５）の出射面（３ａ１ｄ５ａ）によって屈折せしめられ、水平面と、第１４の角度より小さく第１９の角度より大きい第２１の角度をなす下向きの光（Ｌ３ａ１ｄ５’）になって照射され、
第２レンズ部（３ａ１）の反射面（３ａ１ｃ）からの光（Ｌ３ａ１ｅ５）が、第２レンズ部（３ａ１）の反射型第５出射部（３ａ１ｅ５）の反射面（３ａ１ｅ５ａ）によって反射され、次いで、第２レンズ部（３ａ１）の反射型第５出射部（３ａ１ｅ５）の出射面（３ａ１ｅ５ｂ）を透過せしめられ、水平面と、第１６の角度より大きく第２０の角度より小さい第２２の角度をなす下向きの光（Ｌ３ａ１ｅ５’）になって照射されることを特徴とする請求項６に記載のＬＥＤ照明装置（１０）が提供される。
【００１７】
請求項８に記載の発明によれば、正Ｎ（Ｎは３以上の整数）角形の先端面（６ｚ）と、Ｎ個の長方形の側面（６ａ，６ｂ，６ｃ，６ｄ）とを有する正Ｎ角柱状の支持部（６）を具備し、
水平面に対して垂直になるように、かつ、（３６０／Ｎ）°回転対称の関係を有するように、第１から第Ｎの板状の基板（２ａ，２ｂ，２ｃ，２ｄ）を正Ｎ角柱状の支持部（６）のＮ個の長方形の側面（６ａ，６ｂ，６ｃ，６ｄ）上に配置し、
第１ＬＥＤ光源（１ａ７）の光軸（１ａ７’）および第２ＬＥＤ光源（１ａ１）の光軸（１ａ１’）が第１の板状の基板（２ａ）に対して垂直になるように、第１ＬＥＤ光源（１ａ７）および第２ＬＥＤ光源（１ａ１）を第１の板状の基板（２ａ）に実装し、
第１の板状の基板（２ａ）に実装された第１ＬＥＤ光源（１ａ７）および第２ＬＥＤ光源（１ａ１）と（３６０／Ｎ）°回転対称の関係を有する複数のＬＥＤ光源（１ｂ７，１ｃ７，１ｄ７，１ｂ１，１ｃ１，１ｄ１）を第２から第Ｎの板状の基板（２ｂ，２ｃ，２ｄ）に実装し、
各ＬＥＤ光源（１ａ７，１ｂ７，１ｃ７，１ｄ７，１ａ１，１ｂ１，１ｃ１，１ｄ１）に電流を供給するための口金（７）を具備するＬＥＤ照明装置（１０）において、
各ＬＥＤ光源（１ａ７，１ｂ７，１ｃ７，１ｄ７，１ａ１，１ｂ１，１ｃ１，１ｄ１）からの光を配光制御するための第１から第Ｎの導光レンズ（３ａ，３ｂ，３ｃ，３ｄ）を、（３６０／Ｎ）°回転対称の関係を有するように配置し、
第１の板状の基板（２ａ）に実装された第１ＬＥＤ光源（１ａ７）の光軸（１ａ７’）と第１の角度をなして第１ＬＥＤ光源（１ａ７）から上向きに放射された光が入射する第１入射面（３ａ７ａ１）と、第１ＬＥＤ光源（１ａ７）の光軸（１ａ７’）と第１の角度より大きい第２の角度をなして第１ＬＥＤ光源（１ａ７）から上向きに放射された光が入射する第２入射面（３ａ７ｂ）と、第１ＬＥＤ光源（１ａ７）の光軸（１ａ７’）と第３の角度をなして第１ＬＥＤ光源（１ａ７）から下向きに放射された光が入射する第３入射面（３ａ７ａ２）と、第２入射面（３ａ７ｂ）からの光を反射して概略第１ＬＥＤ光源（１ａ７）の光軸（１ａ７’）の方向に進む光にする反射面（３ａ７ｃ）とを第１の導光レンズ（３ａ）の第１レンズ部（３ａ７）に形成し、
第１入射面（３ａ７ａ１）からの光を出射するための反射型第１出射部（３ａ７ｅ１）と、反射面（３ａ７ｃ）からの光を出射するための反射型第２出射部（３ａ７ｅ２）と、第３入射面（３ａ７ａ２）からの光を出射するための反射型第３出射部（３ａ７ｆ）と、第３入射面（３ａ７ａ２）からの光を出射するための屈折型出射部（３ａ７ｇ）とを第１の導光レンズ（３ａ）の第１レンズ部（３ａ７）に形成し、
反射型第２出射部（３ａ７ｅ２）を反射型第１出射部（３ａ７ｅ１）よりも上側に配置し、
反射型第３出射部（３ａ７ｆ）および屈折型出射部（３ａ７ｇ）を反射型第１出射部（３ａ７ｅ１）よりも下側に配置し、
第１入射面（３ａ７ａ１）からの光（Ｌ３ａ７ｅ１）が、反射型第１出射部（３ａ７ｅ１）の反射面（３ａ７ｅ１ａ）によって反射され、次いで、反射型第１出射部（３ａ７ｅ１）の出射面（３ａ７ｅ１ｂ）を透過せしめられ、水平面と、第４の角度をなす下向きの光（Ｌ３ａ７ｅ１’）になって照射され、
反射面（３ａ７ｃ）からの光（Ｌ３ａ７ｅ２）が、反射型第２出射部（３ａ７ｅ２）の反射面（３ａ７ｅ２ａ）によって反射され、次いで、反射型第２出射部（３ａ７ｅ２）の出射面（３ａ７ｅ２ｂ）を透過せしめられ、水平面と、第４の角度とほぼ等しい第５の角度をなす下向きの光（Ｌ３ａ７ｅ２’）になって照射され、
第３入射面（３ａ７ａ２）からの光（Ｌ３ａ７ｆ２ａ）が、反射型第３出射部（３ａ７ｆ）の反射面（３ａ７ｆ１）によって反射され、次いで、反射型第３出射部（３ａ７ｆ）の第１出射面（３ａ７ｆ２ａ）を透過せしめられ、水平面と、第４の角度および第５の角度より大きい第６の角度をなす下向きの光（Ｌ３ａ７ｆ２ａ’）になって照射され、
第３入射面（３ａ７ａ２）からの光（Ｌ３ａ７ｆ２ｂ）が、反射型第３出射部（３ａ７ｆ）の反射面（３ａ７ｆ１）によって反射され、次いで、反射型第３出射部（３ａ７ｆ）の第２出射面（３ａ７ｆ２ｂ）を透過せしめられ、水平面と、第４の角度および第５の角度より大きく、かつ、第６の角度より大きい第７の角度をなす下向きの光（Ｌ３ａ７ｆ２ｂ’）になって照射され、
第３入射面（３ａ７ａ２）からの光（Ｌ３ａ７ｇ）が、屈折型出射部（３ａ７ｇ）の出射面（３ａ７ｇ１）によって屈折せしめられ、水平面と、第７の角度より小さい第８の角度をなす下向きの光（Ｌ３ａ７ｇ’）になって照射され、
第１の板状の基板（２ａ）に実装された第２ＬＥＤ光源（１ａ１）の光軸（１ａ１’）と第９の角度をなして第２ＬＥＤ光源（１ａ１）から放射された光が入射する第１入射面（３ａ１ａ）と、第２ＬＥＤ光源（１ａ１）の光軸（１ａ１’）と第９の角度より大きい第１０の角度をなして第２ＬＥＤ光源（１ａ１）から放射された光が入射する第２入射面（３ａ１ｂ）と、第２レンズ部（３ａ１）の第２入射面（３ａ１ｂ）からの光を反射して概略第２ＬＥＤ光源（１ａ１）の光軸（１ａ１’）の方向に進む光にする反射面（３ａ１ｃ）とを第１の導光レンズ（３ａ）の第２レンズ部（３ａ１）に形成し、
第２レンズ部（３ａ１）の第１入射面（３ａ１ａ）からの光を出射するための屈折型第１出射部（３ａ１ｄ１）と、第２レンズ部（３ａ１）の反射面（３ａ１ｃ）からの光を出射するための屈折型第２出射部（３ａ１ｄ２）と、第２レンズ部（３ａ１）の第１入射面（３ａ１ａ）からの光を出射するための反射型第１出射部（３ａ１ｅ１）と、第２レンズ部（３ａ１）の反射面（３ａ１ｃ）からの光を出射するための反射型第２出射部（３ａ１ｅ２）とを第２レンズ部（３ａ１）に形成し、
第２レンズ部（３ａ１）の屈折型第２出射部（３ａ１ｄ２）を第２レンズ部（３ａ１）の屈折型第１出射部（３ａ１ｄ１）よりも上側に配置し、
第２レンズ部（３ａ１）の反射型第１出射部（３ａ１ｅ１）を第２レンズ部（３ａ１）の屈折型第１出射部（３ａ１ｄ１）よりも下側に配置し、
第２レンズ部（３ａ１）の反射型第２出射部（３ａ１ｅ２）を第２レンズ部（３ａ１）の反射型第１出射部（３ａ１ｅ１）よりも下側に配置し、
第２レンズ部（３ａ１）の第１入射面（３ａ１ａ）からの光（Ｌ３ａ１ｄ１）が、第２レンズ部（３ａ１）の屈折型第１出射部（３ａ１ｄ１）の出射面（３ａ１ｄ１ａ）によって屈折せしめられ、水平面と第１１の角度をなす下向きの光（Ｌ３ａ１ｄ１’）になって照射され、
第２レンズ部（３ａ１）の反射面（３ａ１ｃ）からの光（Ｌ３ａ１ｄ２）が、第２レンズ部（３ａ１）の屈折型第２出射部（３ａ１ｄ２）の出射面（３ａ１ｄ２ａ）によって屈折せしめられ、水平面と、第１１の角度より小さい第１２の角度をなす下向きの光（Ｌ３ａ１ｄ２’）になって照射され、
第２レンズ部（３ａ１）の第１入射面（３ａ１ａ）からの光（Ｌ３ａ１ｅ１）が、第２レンズ部（３ａ１）の反射型第１出射部（３ａ１ｅ１）の反射面（３ａ１ｅ１ａ）によって反射され、次いで、第２レンズ部（３ａ１）の反射型第１出射部（３ａ１ｅ１）の出射面（３ａ１ｅ１ｂ）を透過せしめられ、水平面と、第１１の角度および第１２の角度より大きい第１３の角度をなす下向きの光（Ｌ３ａ１ｅ１’）になって照射され、
第２レンズ部（３ａ１）の反射面（３ａ１ｃ）からの光（Ｌ３ａ１ｅ２）が、第２レンズ部（３ａ１）の反射型第２出射部（３ａ１ｅ２）の反射面（３ａ１ｅ２ａ）によって反射され、次いで、第２レンズ部（３ａ１）の反射型第２出射部（３ａ１ｅ２）の出射面（３ａ１ｅ２ｂ）を透過せしめられ、水平面と、第１１の角度および第１２の角度より大きく、かつ、第１３の角度より大きい第１４の角度をなす下向きの光（Ｌ３ａ１ｅ２’）になって照射されることを特徴とするＬＥＤ照明装置（１０）が提供される。
【発明の効果】
【００１８】
請求項１に記載のＬＥＤ照明装置（１０）では、板状の基板（２ａ）が水平面に対して垂直に配置されている。また、第１ＬＥＤ光源（１ａ７）の光軸（１ａ７’）が基板（２ａ）に対して垂直になるように、第１ＬＥＤ光源（１ａ７）が基板（２ａ）に実装されている。つまり、第１ＬＥＤ光源（１ａ７）の光軸（１ａ７’）が水平方向に指向せしめられている。
【００１９】
更に、請求項１に記載のＬＥＤ照明装置（１０）では、ＬＥＤ光源（１ａ７）からの光を配光制御するための第１レンズ部（３ａ７）を有する導光レンズ（３ａ）が設けられている。詳細には、第１ＬＥＤ光源（１ａ７）の光軸（１ａ７’）と例えば０°〜３３°のような第１の角度をなして第１ＬＥＤ光源（１ａ７）から上向きに放射された光が入射する第１入射面（３ａ７ａ１）と、第１ＬＥＤ光源（１ａ７）の光軸（１ａ７’）と例えば０°〜３３°のような第１の角度より大きい例えば３３°〜９０°のような第２の角度をなして第１ＬＥＤ光源（１ａ７）から上向きに放射された光が入射する第２入射面（３ａ７ｂ）と、第１ＬＥＤ光源（１ａ７）の光軸（１ａ７’）と例えば０°〜９０°のような第３の角度をなして第１ＬＥＤ光源（１ａ７）から下向きに放射された光が入射する第３入射面（３ａ７ａ２）と、第２入射面（３ａ７ｂ）からの光を反射して概略第１ＬＥＤ光源（１ａ７）の光軸（１ａ７’）の方向に進む光にする反射面（３ａ７ｃ）とが、導光レンズ（３ａ）の第１レンズ部（３ａ７）に形成されている。
【００２０】
また、請求項１に記載のＬＥＤ照明装置（１０）では、第１入射面（３ａ７ａ１）からの光を出射するための反射型第１出射部（３ａ７ｅ１）と、反射面（３ａ７ｃ）からの光を出射するための反射型第２出射部（３ａ７ｅ２）と、第３入射面（３ａ７ａ２）からの光を出射するための反射型第３出射部（３ａ７ｆ）と、第３入射面（３ａ７ａ２）からの光を出射するための屈折型出射部（３ａ７ｇ）とが、導光レンズ（３ａ）の第１レンズ部（３ａ７）に形成されている。
【００２１】
更に、請求項１に記載のＬＥＤ照明装置（１０）では、反射型第２出射部（３ａ７ｅ２）が反射型第１出射部（３ａ７ｅ１）よりも上側に配置されている。また、反射型第３出射部（３ａ７ｆ）および屈折型出射部（３ａ７ｇ）が反射型第１出射部（３ａ７ｅ１）よりも下側に配置されている。
【００２２】
詳細には、請求項１に記載のＬＥＤ照明装置（１０）では、第１入射面（３ａ７ａ１）からの光（Ｌ３ａ７ｅ１）が、反射型第１出射部（３ａ７ｅ１）の反射面（３ａ７ｅ１ａ）によって反射され、次いで、反射型第１出射部（３ａ７ｅ１）の出射面（３ａ７ｅ１ｂ）を透過せしめられ、水平面と、例えば７２°のような第４の角度をなす下向きの光（Ｌ３ａ７ｅ１’）になって照射される。
【００２３】
また、請求項１に記載のＬＥＤ照明装置（１０）では、反射面（３ａ７ｃ）からの光（Ｌ３ａ７ｅ２）が、反射型第２出射部（３ａ７ｅ２）の反射面（３ａ７ｅ２ａ）によって反射され、次いで、反射型第２出射部（３ａ７ｅ２）の出射面（３ａ７ｅ２ｂ）を透過せしめられ、水平面と、例えば７２°のような第４の角度７２°とほぼ等しい例えば７１°のような第５の角度をなす下向きの光（Ｌ３ａ７ｅ２’）になって照射される。
【００２４】
更に、請求項１に記載のＬＥＤ照明装置（１０）では、第３入射面（３ａ７ａ２）からの光（Ｌ３ａ７ｆ２ａ）が、反射型第３出射部（３ａ７ｆ）の反射面（３ａ７ｆ１）によって反射され、次いで、反射型第３出射部（３ａ７ｆ）の第１出射面（３ａ７ｆ２ａ）を透過せしめられ、水平面と、例えば７２°のような第４の角度および例えば７１°のような第５の角度より大きい例えば８３°のような第６の角度をなす下向きの光（Ｌ３ａ７ｆ２ａ’）になって照射される。
【００２５】
また、請求項１に記載のＬＥＤ照明装置（１０）では、第３入射面（３ａ７ａ２）からの光（Ｌ３ａ７ｆ２ｂ）が、反射型第３出射部（３ａ７ｆ）の反射面（３ａ７ｆ１）によって反射され、次いで、反射型第３出射部（３ａ７ｆ）の第２出射面（３ａ７ｆ２ｂ）を透過せしめられ、水平面と、例えば７２°のような第４の角度および例えば７１°のような第５の角度より大きく、かつ、例えば８３°のような第６の角度より大きい例えば９０°のような第７の角度をなす下向きの光（Ｌ３ａ７ｆ２ｂ’）になって照射される。
【００２６】
更に、請求項１に記載のＬＥＤ照明装置（１０）では、第３入射面（３ａ７ａ２）からの光（Ｌ３ａ７ｇ）が、屈折型出射部（３ａ７ｇ）の出射面（３ａ７ｇ１）によって屈折せしめられ、水平面と、例えば９０°のような第７の角度より小さい例えば７１°のような第８の角度をなす下向きの光（Ｌ３ａ７ｇ’）になって照射される。
【００２７】
そのため、請求項１に記載のＬＥＤ照明装置（１０）によれば、特許文献１（特開２０１０−１７９６６４号公報）に記載されたＬＥＤ照明装置のように光軸が下向きに指向せしめられたＬＥＤ光源を設ける必要なく、水平面と様々な角度をなす下向きの光（Ｌ３ａ７ｅ１’，Ｌ３ａ７ｅ２’，Ｌ３ａ７ｆ２ａ’，Ｌ３ａ７ｆ２ｂ’，Ｌ３ａ７ｇ’）を照射することができる。
【００２８】
換言すれば、請求項１に記載のＬＥＤ照明装置（１０）によれば、特許文献１（特開２０１０−１７９６６４号公報）に記載されたＬＥＤ照明装置のように、光軸が下向きに指向せしめられたＬＥＤ光源を実装するための基板を、光軸が水平に指向せしめられたＬＥＤ光源を実装するための基板とは別個に設ける必要なく、水平面と様々な角度をなす下向きの光（Ｌ３ａ７ｅ１’，Ｌ３ａ７ｅ２’，Ｌ３ａ７ｆ２ａ’，Ｌ３ａ７ｆ２ｂ’，Ｌ３ａ７ｇ’）を照射することができる。
【００２９】
つまり、請求項１に記載のＬＥＤ照明装置（１０）によれば、特許文献１（特開２０１０−１７９６６４号公報）に記載されたＬＥＤ照明装置よりも基板の数を削減しつつ、水平面と様々な角度をなす下向きの光（Ｌ３ａ７ｅ１’，Ｌ３ａ７ｅ２’，Ｌ３ａ７ｆ２ａ’，Ｌ３ａ７ｆ２ｂ’，Ｌ３ａ７ｇ’）を照射することができる。
【００３０】
請求項２に記載のＬＥＤ照明装置（１０）では、第１ＬＥＤ光源（１ａ７）の光軸（１ａ７’）と例えば６５°〜９０°のような第９の角度をなして第１ＬＥＤ光源（１ａ７）から下向きに放射され、第３入射面（３ａ７ａ２）を透過せしめられた光（Ｌ３ａ７ｇ）が、屈折型出射部（３ａ７ｇ）の出射面（３ａ７ｇ１）によって屈折せしめられ、水平面と、９０°より小さい例えば７１°のような第８の角度をなす下向きの光（Ｌ３ａ７ｇ’）になって照射される。
【００３１】
更に、請求項２に記載のＬＥＤ照明装置（１０）では、第１ＬＥＤ光源（１ａ７）の光軸（１ａ７’）と例えば６５°〜９０°のような第９の角度より小さい例えば３０°〜４０°のような第１０の角度をなして第１ＬＥＤ光源（１ａ７）から下向きに放射され、第３入射面（３ａ７ａ２）を透過せしめられた、光（Ｌ３ａ７ｇ）よりも高い光度を有する光（Ｌ３ａ７ｆ２ｂ）が、反射型第３出射部（３ａ７ｆ）の反射面（３ａ７ｆ１）によって反射され、次いで、反射型第３出射部（３ａ７ｆ）の第２出射面（３ａ７ｆ２ｂ）を透過せしめられ、水平面と９０°をなす下向きの光（Ｌ３ａ７ｆ２ｂ’）になって照射される。
【００３２】
換言すれば、請求項２に記載のＬＥＤ照明装置（１０）では、第１ＬＥＤ光源（１ａ７）の光軸（１ａ７’）と小さい角度をなして第１ＬＥＤ光源（１ａ７）から下向きに放射された高い光度を有する光が、水平面と９０°をなす下向きの光（Ｌ３ａ７ｆ２ｂ’）になって照射される。
【００３３】
そのため、請求項２に記載のＬＥＤ照明装置（１０）によれば、第１ＬＥＤ光源（１ａ７）の光軸（１ａ７’）と大きい角度をなして第１ＬＥＤ光源（１ａ７）から下向きに放射された低い光度を有する光が水平面と９０°をなす下向きの光になって照射される場合よりも、ＬＥＤ照明装置（１０）の直下を明るく照らすことができる。
【００３４】
請求項３に記載のＬＥＤ照明装置（１０）では、第１入射面（３ａ７ａ１）または反射面（３ａ７ｃ）からの光を出射するための反射型第４出射部（３ａ７ｅ３）が導光レンズ（３ａ）の第１レンズ部（３ａ７）に形成されている。また、反射型第４出射部（３ａ７ｅ３）が反射型第１出射部（３ａ７ｅ１）と反射型第２出射部（３ａ７ｅ２）との間に配置されている。
【００３５】
詳細には、請求項３に記載のＬＥＤ照明装置（１０）では、反射型第１出射部（３ａ７ｅ１）の反射面（３ａ７ｅ１ａ）と反射型第４出射部（３ａ７ｅ３）の反射面（３ａ７ｅ３ａ）との間に反射型第４出射部（３ａ７ｅ３）の出射面（３ａ７ｅ３ｂ）が配置されている。更に、反射型第２出射部（３ａ７ｅ２）の反射面（３ａ７ｅ２ａ）と反射型第４出射部（３ａ７ｅ３）の反射面（３ａ７ｅ３ａ）との間に反射型第２出射部（３ａ７ｅ２）の出射面（３ａ７ｅ２ｂ）が配置されている。
【００３６】
そのため、請求項３に記載のＬＥＤ照明装置（１０）によれば、反射型第１出射部（３ａ７ｅ１）の反射面（３ａ７ｅ１ａ）と反射型第４出射部（３ａ７ｅ３）の反射面（３ａ７ｅ３ａ）とが、隣接して配置され、連続的に形成されている場合や、反射型第２出射部（３ａ７ｅ２）の反射面（３ａ７ｅ２ａ）と反射型第４出射部（３ａ７ｅ３）の反射面（３ａ７ｅ３ａ）とが、隣接して配置され、連続的に形成されている場合よりも、導光レンズ（３ａ）のレンズ部（３ａ７）の厚さ寸法（第１ＬＥＤ光源（１ａ７）の光軸（１ａ７’）方向寸法）を薄型化することができる。
【００３７】
つまり、請求項３に記載のＬＥＤ照明装置（１０）によれば、反射型第１出射部（３ａ７ｅ１）の反射面（３ａ７ｅ１ａ）の上端部と反射型第４出射部（３ａ７ｅ３）の反射面（３ａ７ｅ３ａ）の下端部とが一致せしめられている場合や、反射型第２出射部（３ａ７ｅ２）の反射面（３ａ７ｅ２ａ）の下端部と反射型第４出射部（３ａ７ｅ３）の反射面（３ａ７ｅ３ａ）の上端部とが一致せしめられている場合よりも、導光レンズ（３ａ）のレンズ部（３ａ７）の厚さ寸法（第１ＬＥＤ光源（１ａ７）の光軸（１ａ７’）方向寸法）を薄型化することができる。
【００３８】
請求項４に記載のＬＥＤ照明装置（１０）では、第２ＬＥＤ光源（１ａ１）の光軸（１ａ１’）が基板（２ａ）に対して垂直になるように、第２ＬＥＤ光源（１ａ１）が基板（２ａ）に実装されている。つまり、第２ＬＥＤ光源（１ａ１）の光軸（１ａ１’）が水平方向に指向せしめられている。
【００３９】
更に、請求項４に記載のＬＥＤ照明装置（１０）では、第２ＬＥＤ光源（１ａ１）からの光を配光制御するための第２レンズ部（３ａ１）が導光レンズ（３ａ）に形成されている。詳細には、第２ＬＥＤ光源（１ａ１）の光軸（１ａ１’）と例えば０°〜３３°のような第１１の角度をなして第２ＬＥＤ光源（１ａ１）から放射された光が入射する第１入射面（３ａ１ａ）と、第２ＬＥＤ光源（１ａ１）の光軸（１ａ１’）と例えば０°〜３３°のような第１１の角度より大きい例えば３３°〜９０°のような第１２の角度をなして第２ＬＥＤ光源（１ａ１）から放射された光が入射する第２入射面（３ａ１ｂ）と、第２レンズ部（３ａ１）の第２入射面（３ａ１ｂ）からの光を反射して概略第２ＬＥＤ光源（１ａ１）の光軸（１ａ１’）の方向に進む光にする反射面（３ａ１ｃ）とが、第２レンズ部（３ａ１）に形成されている。
【００４０】
また、請求項４に記載のＬＥＤ照明装置（１０）では、第２レンズ部（３ａ１）の第１入射面（３ａ１ａ）からの光を出射するための屈折型第１出射部（３ａ１ｄ１）と、第２レンズ部（３ａ１）の反射面（３ａ１ｃ）からの光を出射するための屈折型第２出射部（３ａ１ｄ２）と、第２レンズ部（３ａ１）の第１入射面（３ａ１ａ）からの光を出射するための反射型第１出射部（３ａ１ｅ１）と、第２レンズ部（３ａ１）の反射面（３ａ１ｃ）からの光を出射するための反射型第２出射部（３ａ１ｅ２）とが第２レンズ部（３ａ１）に形成されている。
【００４１】
更に、請求項４に記載のＬＥＤ照明装置（１０）では、第２レンズ部（３ａ１）の屈折型第２出射部（３ａ１ｄ２）が第２レンズ部（３ａ１）の屈折型第１出射部（３ａ１ｄ１）よりも上側に配置されている。また、第２レンズ部（３ａ１）の反射型第１出射部（３ａ１ｅ１）が第２レンズ部（３ａ１）の屈折型第１出射部（３ａ１ｄ１）よりも下側に配置されている。更に、第２レンズ部（３ａ１）の反射型第２出射部（３ａ１ｅ２）が第２レンズ部（３ａ１）の反射型第１出射部（３ａ１ｅ１）よりも下側に配置されている。
【００４２】
詳細には、請求項４に記載のＬＥＤ照明装置（１０）では、第２レンズ部（３ａ１）の第１入射面（３ａ１ａ）からの光（Ｌ３ａ１ｄ１）が、第２レンズ部（３ａ１）の屈折型第１出射部（３ａ１ｄ１）の出射面（３ａ１ｄ１ａ）によって屈折せしめられ、水平面と例えば３７°のような第１３の角度をなす下向きの光（Ｌ３ａ１ｄ１’）になって照射される。更に、第２レンズ部（３ａ１）の反射面（３ａ１ｃ）からの光（Ｌ３ａ１ｄ２）が、第２レンズ部（３ａ１）の屈折型第２出射部（３ａ１ｄ２）の出射面（３ａ１ｄ２ａ）によって屈折せしめられ、水平面と、例えば３７°のような第１３の角度より小さい例えば２３°のような第１４の角度をなす下向きの光（Ｌ３ａ１ｄ２’）になって照射される。
【００４３】
また、請求項４に記載のＬＥＤ照明装置（１０）では、第２レンズ部（３ａ１）の第１入射面（３ａ１ａ）からの光（Ｌ３ａ１ｅ１）が、第２レンズ部（３ａ１）の反射型第１出射部（３ａ１ｅ１）の反射面（３ａ１ｅ１ａ）によって反射され、次いで、第２レンズ部（３ａ１）の反射型第１出射部（３ａ１ｅ１）の出射面（３ａ１ｅ１ｂ）を透過せしめられ、水平面と、例えば３７°のような第１３の角度および例えば２３°のような第１４の角度より大きい例えば４３°のような第１５の角度をなす下向きの光（Ｌ３ａ１ｅ１’）になって照射される。更に、第２レンズ部（３ａ１）の反射面（３ａ１ｃ）からの光（Ｌ３ａ１ｅ２）が、第２レンズ部（３ａ１）の反射型第２出射部（３ａ１ｅ２）の反射面（３ａ１ｅ２ａ）によって反射され、次いで、第２レンズ部（３ａ１）の反射型第２出射部（３ａ１ｅ２）の出射面（３ａ１ｅ２ｂ）を透過せしめられ、水平面と、例えば３７°のような第１３の角度および例えば２３°のような第１４の角度より大きく、かつ、例えば４３°のような第１５の角度より大きい例えば５３°のような第１６の角度をなす下向きの光（Ｌ３ａ１ｅ２’）になって照射される。
【００４４】
そのため、請求項４に記載のＬＥＤ照明装置（１０）によれば、特許文献１（特開２０１０−１７９６６４号公報）に記載されたＬＥＤ照明装置のように光軸が下向きに指向せしめられたＬＥＤ光源を設ける必要なく、水平面と様々な角度をなす下向きの光（Ｌ３ａ１ｄ１’，Ｌ３ａ１ｄ２’，Ｌ３ａ１ｅ１’，Ｌ３ａ１ｅ２’）を照射することができる。
【００４５】
換言すれば、請求項４に記載のＬＥＤ照明装置（１０）によれば、特許文献１（特開２０１０−１７９６６４号公報）に記載されたＬＥＤ照明装置のように、光軸が下向きに指向せしめられたＬＥＤ光源を実装するための基板を、光軸が水平に指向せしめられたＬＥＤ光源を実装するための基板とは別個に設ける必要なく、水平面と様々な角度をなす下向きの光（Ｌ３ａ１ｄ１’，Ｌ３ａ１ｄ２’，Ｌ３ａ１ｅ１’，Ｌ３ａ１ｅ２’）を照射することができる。
【００４６】
つまり、請求項４に記載のＬＥＤ照明装置（１０）によれば、特許文献１（特開２０１０−１７９６６４号公報）に記載されたＬＥＤ照明装置よりも基板の数を削減しつつ、水平面と様々な角度をなす下向きの光Ｌ３ａ１ｄ１’，Ｌ３ａ１ｄ２’，Ｌ３ａ１ｅ１’，Ｌ３ａ１ｅ２’を照射することができる。
【００４７】
請求項５に記載のＬＥＤ照明装置（１０）では、第２レンズ部（３ａ１）の第１入射面（３ａ１ａ）または反射面（３ａ１ｃ）からの光を出射するための屈折型第３出射部（３ａ１ｄ３）と、第２レンズ部（３ａ１）の第１入射面（３ａ１ａ）または反射面（３ａ１ｃ）からの光を出射するための反射型第３出射部（３ａ１ｅ３）とが第２レンズ部（３ａ１）に形成されている。更に、第２レンズ部（３ａ１）の屈折型第３出射部（３ａ１ｄ３）が第２レンズ部（３ａ１）の屈折型第１出射部（３ａ１ｄ１）と第２レンズ部（３ａ１）の屈折型第２出射部（３ａ１ｄ２）との間に配置されている。また、第２レンズ部（３ａ１）の反射型第３出射部（３ａ１ｅ３）が第２レンズ部（３ａ１）の反射型第１出射部（３ａ１ｅ１）と第２レンズ部（３ａ１）の反射型第２出射部（３ａ１ｅ２）との間に配置されている。
【００４８】
詳細には、請求項５に記載のＬＥＤ照明装置（１０）では、第２レンズ部（３ａ１）の第１入射面（３ａ１ａ）または反射面（３ａ１ｃ）からの光（Ｌ３ａ１ｄ３）が、第２レンズ部（３ａ１）の屈折型第３出射部（３ａ１ｄ３）の出射面（３ａ１ｄ３ａ）によって屈折せしめられ、水平面と、例えば３７°のような第１３の角度より小さく例えば２３°のような第１４の角度より大きい例えば３０°のような第１７の角度をなす下向きの光（Ｌ３ａ１ｄ３’）になって照射される。
【００４９】
また、請求項５に記載のＬＥＤ照明装置（１０）では、第２レンズ部（３ａ１）の第１入射面（３ａ１ａ）または反射面（３ａ１ｃ）からの光（Ｌ３ａ１ｅ３）が、第２レンズ部（３ａ１）の反射型第３出射部（３ａ１ｅ３）の反射面（３ａ１ｅ３ａ）によって反射され、次いで、第２レンズ部（３ａ１）の反射型第３出射部（３ａ１ｅ３）の出射面（３ａ１ｅ３ｂ）を透過せしめられ、水平面と、例えば４３°のような第１５の角度より大きく例えば５３°のような第１６の角度より小さい例えば５０°のような第１８の角度をなす下向きの光（Ｌ３ａ１ｅ３’）になって照射される。
【００５０】
そのため、請求項５に記載のＬＥＤ照明装置（１０）によれば、水平面と例えば３７°のような第１３の角度より小さく例えば２３°のような第１４の角度より大きい例えば３０°のような第１７の角度をなす下向きの光Ｌ３ａ１ｄ３’が照射されず、水平面と例えば４３°のような第１５の角度より大きく例えば５３°のような第１６の角度より小さい例えば５０°のような第１８の角度をなす下向きの光（Ｌ３ａ１ｅ３’）が照射されない場合よりも、ＬＥＤ照明装置（１０）からの照射光（Ｌ３ａ１ｄ１’，Ｌ３ａ１ｄ２’，Ｌ３ａ１ｄ３’，Ｌ３ａ１ｅ１’，Ｌ３ａ１ｅ２’，Ｌ３ａ１ｅ３’）によって形成される配光パターンの照度ムラを低減することができる。
【００５１】
請求項６に記載のＬＥＤ照明装置（１０）では、第２レンズ部（３ａ１）の反射面（３ａ１ｃ）からの光を出射するための屈折型第４出射部（３ａ１ｄ４）と、第２レンズ部（３ａ１）の反射面（３ａ１ｃ）からの光を出射するための反射型第４出射部（３ａ１ｅ４）とが第２レンズ部（３ａ１）に形成されている。また、第２レンズ部（３ａ１）の屈折型第４出射部（３ａ１ｄ４）が第２レンズ部（３ａ１）の屈折型第２出射部（３ａ１ｄ２）よりも上側に配置されている。更に、第２レンズ部（３ａ１）の反射型第４出射部（３ａ１ｅ４）が第２レンズ部（３ａ１）の反射型第２出射部（３ａ１ｅ２）よりも下側に配置されている。
【００５２】
詳細には、請求項６に記載のＬＥＤ照明装置（１０）では、第２レンズ部（３ａ１）の反射面（３ａ１ｃ）からの光（Ｌ３ａ１ｄ４）が、第２レンズ部（３ａ１）の屈折型第４出射部（３ａ１ｄ４）の出射面（３ａ１ｄ４ａ）によって屈折せしめられ、水平面と、例えば２３°のような第１４の角度より小さい例えば５°のような第１９の角度をなす下向きの光（Ｌ３ａ１ｄ４’）になって照射される。
【００５３】
また、請求項６に記載のＬＥＤ照明装置（１０）では、第２レンズ部（３ａ１）の反射面（３ａ１ｃ）からの光（Ｌ３ａ１ｅ４）が、第２レンズ部（３ａ１）の反射型第４出射部（３ａ１ｅ４）の反射面（３ａ１ｅ４ａ）によって反射され、次いで、第２レンズ部（３ａ１）の反射型第４出射部（３ａ１ｅ４）の出射面（３ａ１ｅ４ｂ）を透過せしめられ、水平面と、例えば５３°のような第１６の角度より大きい例えば６０°のような第２０の角度をなす下向きの光（Ｌ３ａ１ｅ４’）になって照射される。
【００５４】
そのため、請求項６に記載のＬＥＤ照明装置（１０）によれば、水平面と例えば２３°のような第１４の角度より小さい例えば５°のような第１９の角度をなす下向きの光（Ｌ３ａ１ｄ４’）が照射されず、水平面と例えば５３°のような第１６の角度より大きい例えば６０°のような第２０の角度をなす下向きの光（Ｌ３ａ１ｅ４’）が照射されない場合よりも、ＬＥＤ照明装置（１０）からの光（Ｌ３ａ１ｄ１’，Ｌ３ａ１ｄ２’，Ｌ３ａ１ｄ３’，Ｌ３ａ１ｄ４’，Ｌ３ａ１ｅ１’，Ｌ３ａ１ｅ２’，Ｌ３ａ１ｅ３’，Ｌ３ａ１ｅ４’）を広範囲（広角度）にわたって照射することができる。
【００５５】
請求項７に記載のＬＥＤ照明装置（１０）では、第２レンズ部（３ａ１）の反射面（３ａ１ｃ）からの光を出射するための屈折型第５出射部（３ａ１ｄ５）と、第２レンズ部（３ａ１）の反射面（３ａ１ｃ）からの光を出射するための反射型第５出射部（３ａ１ｅ５）とが第２レンズ部（３ａ１）に形成されている。また、第２レンズ部（３ａ１）の屈折型第５出射部（３ａ１ｄ５）が第２レンズ部（３ａ１）の屈折型第２出射部（３ａ１ｄ２）と第２レンズ部（３ａ１）の屈折型第４出射部（３ａ１ｄ４）との間に配置されている。更に、第２レンズ部（３ａ１）の反射型第５出射部（３ａ１ｅ５）が第２レンズ部（３ａ１）の反射型第２出射部（３ａ１ｅ２）と第２レンズ部（３ａ１）の反射型第４出射部（３ａ１ｅ４）との間に配置されている。
【００５６】
詳細には、請求項７に記載のＬＥＤ照明装置（１０）では、第２レンズ部（３ａ１）の反射面（３ａ１ｃ）からの光（Ｌ３ａ１ｄ５）が、第２レンズ部（３ａ１）の屈折型第５出射部（３ａ１ｄ５）の出射面（３ａ１ｄ５ａ）によって屈折せしめられ、水平面と、例えば２３°のような第１４の角度より小さく例えば５°のような第１９の角度より大きい例えば１６°のような第２１の角度をなす下向きの光（Ｌ３ａ１ｄ５’）になって照射される。
【００５７】
また、請求項７に記載のＬＥＤ照明装置（１０）では、第２レンズ部（３ａ１）の反射面（３ａ１ｃ）からの光（Ｌ３ａ１ｅ５）が、第２レンズ部（３ａ１）の反射型第５出射部（３ａ１ｅ５）の反射面（３ａ１ｅ５ａ）によって反射され、次いで、第２レンズ部（３ａ１）の反射型第５出射部（３ａ１ｅ５）の出射面（３ａ１ｅ５ｂ）を透過せしめられ、水平面と、例えば５３°のような第１６の角度より大きく例えば６０°のような第２０の角度より小さい例えば５７°のような第２２の角度をなす下向きの光（Ｌ３ａ１ｅ５’）になって照射される。
【００５８】
そのため、請求項７に記載のＬＥＤ照明装置（１０）によれば、水平面と例えば２３°のような第１４の角度より小さく例えば５°のような第１９の角度より大きい例えば１６°のような第２１の角度をなす下向きの光（Ｌ３ａ１ｄ５’）が照射されず、水平面と例えば５３°のような第１６の角度より大きく例えば６０°のような第２０の角度より小さい例えば５７°のような第２２の角度をなす下向きの光（Ｌ３ａ１ｅ５’）が照射されない場合よりも、ＬＥＤ照明装置（１０）からの照射光（Ｌ３ａ１ｄ１’，Ｌ３ａ１ｄ２’，Ｌ３ａ１ｄ３’，Ｌ３ａ１ｄ４’，Ｌ３ａ１ｄ５’，Ｌ３ａ１ｅ１’，Ｌ３ａ１ｅ２’，Ｌ３ａ１ｅ３’，Ｌ３ａ１ｅ４’，Ｌ３ａ１ｅ５’）によって形成される配光パターンの照度ムラを低減することができる。
【００５９】
請求項８に記載のＬＥＤ照明装置（１０）では、正Ｎ（Ｎは３以上の整数）角形の先端面（６ｚ）と、Ｎ個の長方形の側面（６ａ，６ｂ，６ｃ，６ｄ）とを有する正Ｎ角柱状の支持部（６）が設けられている。また、水平面に対して垂直になるように、かつ、（３６０／Ｎ）°回転対称の関係を有するように、第１から第Ｎの板状の基板（２ａ，２ｂ，２ｃ，２ｄ）が正Ｎ角柱状の支持部（６）のＮ個の長方形の側面（６ａ，６ｂ，６ｃ，６ｄ）上に配置されている。
【００６０】
更に、請求項８に記載のＬＥＤ照明装置（１０）では、第１ＬＥＤ光源（１ａ７）の光軸（１ａ７’）および第２ＬＥＤ光源（１ａ１）の光軸（１ａ１’）が第１の板状の基板（２ａ）に対して垂直になるように、第１ＬＥＤ光源（１ａ７）および第２ＬＥＤ光源（１ａ１）が第１の板状の基板（２ａ）に実装されている。また、第１の板状の基板（２ａ）に実装された第１ＬＥＤ光源（１ａ７）および第２ＬＥＤ光源（１ａ１）と（３６０／Ｎ）°回転対称の関係を有する複数のＬＥＤ光源（１ｂ７，１ｃ７，１ｄ７，１ｂ１，１ｃ１，１ｄ１）が、第２から第Ｎの板状の基板（２ｂ，２ｃ，２ｄ）に実装されている。また、各ＬＥＤ光源（１ａ７，１ｂ７，１ｃ７，１ｄ７，１ａ１，１ｂ１，１ｃ１，１ｄ１）に電流を供給するための口金（７）が設けられている。
【００６１】
また、請求項８に記載のＬＥＤ照明装置（１０）では、各ＬＥＤ光源（１ａ７，１ｂ７，１ｃ７，１ｄ７，１ａ１，１ｂ１，１ｃ１，１ｄ１）からの光を配光制御するための第１から第Ｎの導光レンズ（３ａ，３ｂ，３ｃ，３ｄ）が、（３６０／Ｎ）°回転対称の関係を有するように配置されている。
【００６２】
更に、請求項８に記載のＬＥＤ照明装置（１０）では、第１の板状の基板（２ａ）に実装された第１ＬＥＤ光源（１ａ７）の光軸（１ａ７’）と例えば０°〜３３°のような第１の角度をなして第１ＬＥＤ光源（１ａ７）から上向きに放射された光が入射する第１入射面（３ａ７ａ１）と、第１ＬＥＤ光源（１ａ７）の光軸（１ａ７’）と例えば０°〜３３°のような第１の角度より大きい例えば３３°〜９０°のような第２の角度をなして第１ＬＥＤ光源（１ａ７）から上向きに放射された光が入射する第２入射面（３ａ７ｂ）と、第１ＬＥＤ光源（１ａ７）の光軸（１ａ７’）と例えば０°〜９０°のような第３の角度をなして第１ＬＥＤ光源（１ａ７）から下向きに放射された光が入射する第３入射面（３ａ７ａ２）と、第２入射面（３ａ７ｂ）からの光を反射して概略第１ＬＥＤ光源（１ａ７）の光軸（１ａ７’）の方向に進む光にする反射面（３ａ７ｃ）とが、第１の導光レンズ（３ａ）の第１レンズ部（３ａ７）に形成されている。
【００６３】
また、請求項８に記載のＬＥＤ照明装置（１０）では、第１入射面（３ａ７ａ１）からの光を出射するための反射型第１出射部（３ａ７ｅ１）と、反射面（３ａ７ｃ）からの光を出射するための反射型第２出射部（３ａ７ｅ２）と、第３入射面（３ａ７ａ２）からの光を出射するための反射型第３出射部（３ａ７ｆ）と、第３入射面（３ａ７ａ２）からの光を出射するための屈折型出射部（３ａ７ｇ）とが、第１の導光レンズ（３ａ）の第１レンズ部（３ａ７）に形成されている。
【００６４】
更に、請求項８に記載のＬＥＤ照明装置（１０）では、反射型第２出射部（３ａ７ｅ２）が反射型第１出射部（３ａ７ｅ１）よりも上側に配置されている。また、反射型第３出射部（３ａ７ｆ）および屈折型出射部（３ａ７ｇ）が反射型第１出射部（３ａ７ｅ１）よりも下側に配置されている。
【００６５】
詳細には、請求項８に記載のＬＥＤ照明装置（１０）では、第１入射面（３ａ７ａ１）からの光（Ｌ３ａ７ｅ１）が、反射型第１出射部（３ａ７ｅ１）の反射面（３ａ７ｅ１ａ）によって反射され、次いで、反射型第１出射部（３ａ７ｅ１）の出射面（３ａ７ｅ１ｂ）を透過せしめられ、水平面と、例えば７２°のような第４の角度をなす下向きの光（Ｌ３ａ７ｅ１’）になって照射される。
【００６６】
また、請求項８に記載のＬＥＤ照明装置（１０）では、反射面（３ａ７ｃ）からの光（Ｌ３ａ７ｅ２）が、反射型第２出射部（３ａ７ｅ２）の反射面（３ａ７ｅ２ａ）によって反射され、次いで、反射型第２出射部（３ａ７ｅ２）の出射面（３ａ７ｅ２ｂ）を透過せしめられ、水平面と、例えば７２°のような第４の角度とほぼ等しい例えば７１°のような第５の角度をなす下向きの光（Ｌ３ａ７ｅ２’）になって照射される。
【００６７】
更に、第３入射面（３ａ７ａ２）からの光（Ｌ３ａ７ｆ２ａ）が、反射型第３出射部（３ａ７ｆ）の反射面（３ａ７ｆ１）によって反射され、次いで、反射型第３出射部（３ａ７ｆ）の第１出射面（３ａ７ｆ２ａ）を透過せしめられ、水平面と、例えば７２°のような第４の角度および例えば７１°のような第５の角度より大きい例えば８３°のような第６の角度をなす下向きの光（Ｌ３ａ７ｆ２ａ’）になって照射される。
【００６８】
また、請求項８に記載のＬＥＤ照明装置（１０）では、第３入射面（３ａ７ａ２）からの光（Ｌ３ａ７ｆ２ｂ）が、反射型第３出射部（３ａ７ｆ）の反射面（３ａ７ｆ１）によって反射され、次いで、反射型第３出射部（３ａ７ｆ）の第２出射面（３ａ７ｆ２ｂ）を透過せしめられ、水平面と、例えば７２°のような第４の角度および例えば７１°のような第５の角度より大きく、かつ、例えば８３°のような第６の角度より大きい例えば９０°のような第７の角度をなす下向きの光（Ｌ３ａ７ｆ２ｂ’）になって照射される。
【００６９】
更に、請求項８に記載のＬＥＤ照明装置（１０）では、第３入射面（３ａ７ａ２）からの光（Ｌ３ａ７ｇ）が、屈折型出射部（３ａ７ｇ）の出射面（３ａ７ｇ１）によって屈折せしめられ、水平面と、例えば９０°のような第７の角度より小さい例えば７１°のような第８の角度をなす下向きの光（Ｌ３ａ７ｇ’）になって照射される。
【００７０】
そのため、請求項８に記載のＬＥＤ照明装置（１０）によれば、特許文献１（特開２０１０−１７９６６４号公報）に記載されたＬＥＤ照明装置のように光軸が下向きに指向せしめられたＬＥＤ光源を設ける必要なく、水平面と様々な角度をなす下向きの光（Ｌ３ａ７ｅ１’，Ｌ３ａ７ｅ２’，Ｌ３ａ７ｆ２ａ’，Ｌ３ａ７ｆ２ｂ’，Ｌ３ａ７ｇ’）を照射することができる。
【００７１】
換言すれば、請求項８に記載のＬＥＤ照明装置（１０）によれば、特許文献１（特開２０１０−１７９６６４号公報）に記載されたＬＥＤ照明装置のように、光軸が下向きに指向せしめられたＬＥＤ光源を実装するための基板を、光軸が水平に指向せしめられたＬＥＤ光源を実装するための基板とは別個に設ける必要なく、水平面と様々な角度をなす下向きの光（Ｌ３ａ７ｅ１’，Ｌ３ａ７ｅ２’，Ｌ３ａ７ｆ２ａ’，Ｌ３ａ７ｆ２ｂ’，Ｌ３ａ７ｇ’）を照射することができる。
【００７２】
つまり、請求項８に記載のＬＥＤ照明装置（１０）によれば、特許文献１（特開２０１０−１７９６６４号公報）に記載されたＬＥＤ照明装置よりも基板の数を削減しつつ、水平面と様々な角度をなす下向きの光（Ｌ３ａ７ｅ１’，Ｌ３ａ７ｅ２’，Ｌ３ａ７ｆ２ａ’，Ｌ３ａ７ｆ２ｂ’，Ｌ３ａ７ｇ’）を照射することができる。
【００７３】
また、請求項８に記載のＬＥＤ照明装置（１０）では、第１の板状の基板（２ａ）に実装された第２ＬＥＤ光源（１ａ１）の光軸（１ａ１’）と例えば０°〜３３°のような第９の角度をなして第２ＬＥＤ光源（１ａ１）から放射された光が入射する第１入射面（３ａ１ａ）と、第２ＬＥＤ光源（１ａ１）の光軸（１ａ１’）と例えば０°〜３３°のような第９の角度より大きい例えば３３°〜９０°のような第１０の角度をなして第２ＬＥＤ光源（１ａ１）から放射された光が入射する第２入射面（３ａ１ｂ）と、第２レンズ部（３ａ１）の第２入射面（３ａ１ｂ）からの光を反射して概略第２ＬＥＤ光源（１ａ１）の光軸（１ａ１’）の方向に進む光にする反射面（３ａ１ｃ）とが、第１の導光レンズ（３ａ）の第２レンズ部（３ａ１）に形成されている。
【００７４】
更に、請求項８に記載のＬＥＤ照明装置（１０）では、第２レンズ部（３ａ１）の第１入射面（３ａ１ａ）からの光を出射するための屈折型第１出射部（３ａ１ｄ１）と、第２レンズ部（３ａ１）の反射面（３ａ１ｃ）からの光を出射するための屈折型第２出射部（３ａ１ｄ２）と、第２レンズ部（３ａ１）の第１入射面（３ａ１ａ）からの光を出射するための反射型第１出射部（３ａ１ｅ１）と、第２レンズ部（３ａ１）の反射面（３ａ１ｃ）からの光を出射するための反射型第２出射部（３ａ１ｅ２）とが、第２レンズ部（３ａ１）に形成されている。
【００７５】
また、請求項８に記載のＬＥＤ照明装置（１０）では、第２レンズ部（３ａ１）の屈折型第２出射部（３ａ１ｄ２）が第２レンズ部（３ａ１）の屈折型第１出射部（３ａ１ｄ１）よりも上側に配置されている。更に、第２レンズ部（３ａ１）の反射型第１出射部（３ａ１ｅ１）が第２レンズ部（３ａ１）の屈折型第１出射部（３ａ１ｄ１）よりも下側に配置されている。また、第２レンズ部（３ａ１）の反射型第２出射部（３ａ１ｅ２）が第２レンズ部（３ａ１）の反射型第１出射部（３ａ１ｅ１）よりも下側に配置されている。
【００７６】
詳細には、請求項８に記載のＬＥＤ照明装置（１０）では、第２レンズ部（３ａ１）の第１入射面（３ａ１ａ）からの光（Ｌ３ａ１ｄ１）が、第２レンズ部（３ａ１）の屈折型第１出射部（３ａ１ｄ１）の出射面（３ａ１ｄ１ａ）によって屈折せしめられ、水平面と例えば３７°のような第１１の角度をなす下向きの光（Ｌ３ａ１ｄ１’）になって照射される。
【００７７】
更に、請求項８に記載のＬＥＤ照明装置（１０）では、第２レンズ部（３ａ１）の反射面（３ａ１ｃ）からの光（Ｌ３ａ１ｄ２）が、第２レンズ部（３ａ１）の屈折型第２出射部（３ａ１ｄ２）の出射面（３ａ１ｄ２ａ）によって屈折せしめられ、水平面と、例えば３７°のような第１１の角度より小さい例えば２３°のような第１２の角度をなす下向きの光（Ｌ３ａ１ｄ２’）になって照射される。
【００７８】
また、請求項８に記載のＬＥＤ照明装置（１０）では、第２レンズ部（３ａ１）の第１入射面（３ａ１ａ）からの光（Ｌ３ａ１ｅ１）が、第２レンズ部（３ａ１）の反射型第１出射部（３ａ１ｅ１）の反射面（３ａ１ｅ１ａ）によって反射され、次いで、第２レンズ部（３ａ１）の反射型第１出射部（３ａ１ｅ１）の出射面（３ａ１ｅ１ｂ）を透過せしめられ、水平面と、例えば３７°のような第１１の角度および例えば２３°のような第１２の角度より大きい例えば４３°のような第１３の角度をなす下向きの光（Ｌ３ａ１ｅ１’）になって照射される。
【００７９】
更に、請求項８に記載のＬＥＤ照明装置（１０）では、第２レンズ部（３ａ１）の反射面（３ａ１ｃ）からの光（Ｌ３ａ１ｅ２）が、第２レンズ部（３ａ１）の反射型第２出射部（３ａ１ｅ２）の反射面（３ａ１ｅ２ａ）によって反射され、次いで、第２レンズ部（３ａ１）の反射型第２出射部（３ａ１ｅ２）の出射面（３ａ１ｅ２ｂ）を透過せしめられ、水平面と、例えば３７°のような第１１の角度および例えば２３°のような第１２の角度より大きく、かつ、例えば４３°のような第１３の角度より大きい例えば５３°のような第１４の角度をなす下向きの光（Ｌ３ａ１ｅ２’）になって照射される。
【００８０】
そのため、請求項８に記載のＬＥＤ照明装置（１０）によれば、特許文献１（特開２０１０−１７９６６４号公報）に記載されたＬＥＤ照明装置のように光軸が下向きに指向せしめられたＬＥＤ光源を設ける必要なく、水平面と様々な角度をなす下向きの光（Ｌ３ａ１ｄ１’，Ｌ３ａ１ｄ２’，Ｌ３ａ１ｅ１’，Ｌ３ａ１ｅ２’）を照射することができる。
【００８１】
換言すれば、請求項８に記載のＬＥＤ照明装置（１０）によれば、特許文献１（特開２０１０−１７９６６４号公報）に記載されたＬＥＤ照明装置のように、光軸が下向きに指向せしめられたＬＥＤ光源を実装するための基板を、光軸が水平に指向せしめられたＬＥＤ光源を実装するための基板とは別個に設ける必要なく、水平面と様々な角度をなす下向きの光（Ｌ３ａ１ｄ１’，Ｌ３ａ１ｄ２’，Ｌ３ａ１ｅ１’，Ｌ３ａ１ｅ２’）を照射することができる。
【００８２】
つまり、請求項８に記載のＬＥＤ照明装置（１０）によれば、特許文献１（特開２０１０−１７９６６４号公報）に記載されたＬＥＤ照明装置よりも基板の数を削減しつつ、水平面と様々な角度をなす下向きの光Ｌ３ａ１ｄ１’，Ｌ３ａ１ｄ２’，Ｌ３ａ１ｅ１’，Ｌ３ａ１ｅ２’を照射することができる。
【図面の簡単な説明】
【００８３】
【図１】第１の実施形態のＬＥＤ照明装置１０の概略的な鉛直断面図である。
【図２】第１の実施形態のＬＥＤ照明装置１０の導光レンズ３ａのレンズ部３ａ７などの拡大鉛直断面図である。
【図３】図１に示す鉛直断面内におけるＬＥＤ光源１ａ７からの光の光路を示した図である。
【図４】図１に示す鉛直断面内におけるＬＥＤ光源１ａ７からの光の光路を示した図である。
【図５】図１に示す鉛直断面内におけるＬＥＤ光源１ａ７からの光の光路を示した図である。
【図６】第１の実施形態のＬＥＤ照明装置１０の導光レンズ３ａのレンズ部３ａ１などの拡大鉛直断面図である。
【図７】図１に示す鉛直断面内におけるＬＥＤ光源１ａ１からの光の光路を示した図である。
【図８】図１に示す鉛直断面内におけるＬＥＤ光源１ａ１からの光の光路を示した図である。
【図９】図１に示す鉛直断面内におけるＬＥＤ光源１ａ１からの光の光路を示した図である。
【図１０】図１に示す鉛直断面内におけるＬＥＤ光源１ａ１からの光の光路を示した図である。
【図１１】第２の実施形態のＬＥＤ照明装置１０が適用された街路灯１００の要部を示した斜視図などである。
【図１２】図１１（Ｂ）に示す鉛直断面に垂直な正四角柱状の支持部６の中心軸線６’を含む第２の実施形態のＬＥＤ照明装置１０の鉛直断面を示した図である。
【図１３】第３の実施形態のＬＥＤ照明装置１０が適用された街路灯１００の要部を示した斜視図などである。
【図１４】図１３（Ｂ）に示す鉛直断面に垂直な正四角柱状の支持部６の中心軸線６’を含む第３の実施形態のＬＥＤ照明装置１０の鉛直断面を示した図である。
【発明を実施するための形態】
【００８４】
以下、本発明のＬＥＤ照明装置の第１の実施形態について説明する。図１は第１の実施形態のＬＥＤ照明装置１０の概略的な鉛直断面図である。図２は第１の実施形態のＬＥＤ照明装置１０の導光レンズ３ａのレンズ部３ａ７などの拡大鉛直断面図である。図３〜図５は図１に示す鉛直断面内におけるＬＥＤ光源１ａ７からの光の光路を示した図である。図６は第１の実施形態のＬＥＤ照明装置１０の導光レンズ３ａのレンズ部３ａ１などの拡大鉛直断面図である。図７〜図１０は図１に示す鉛直断面内におけるＬＥＤ光源１ａ１からの光の光路を示した図である。
【００８５】
第１の実施形態のＬＥＤ照明装置１０では、図１に示すように、基板２ａがベース部材４に対して接続されている。また、例えば３個のような２個以上のＬＥＤ光源１ａ１，１ａ２，１ａ７が基板２ａに実装されている。更に、ＬＥＤ光源１ａ１からの光を配光制御するためのレンズ部３ａ１と、ＬＥＤ光源１ａ２からの光を配光制御するためのレンズ部３ａ２と、ＬＥＤ光源１ａ７からの光を配光制御するためのレンズ部３ａ７とを有する導光レンズ３ａによって、ＬＥＤ光源１ａ１，１ａ２，１ａ７が覆われている。
【００８６】
具体的には、第１の実施形態のＬＥＤ照明装置１０は、例えば床面（地面、路面）（図示せず）などを照射するために、床面（地面、路面）から垂直に上向きに延びている例えば壁（支柱）（図示せず）などに対して接続可能に構成されている。詳細には、図１に示すように、板状の基板２ａが水平面（図示せず）に対して垂直になるように、ベース部材４が例えば壁（支柱）などに接続された状態で、第１の実施形態のＬＥＤ照明装置１０は用いられる。
【００８７】
また、第１の実施形態のＬＥＤ照明装置１０では、図１に示すように、ＬＥＤ光源１ａ１，１ａ２，１ａ７の光軸１ａ１’，１ａ２’，１ａ７’が基板２ａに対して垂直になるように、ＬＥＤ光源１ａ１，１ａ２，１ａ７が基板２ａに実装されている。つまり、ＬＥＤ光源１ａ１，１ａ２，１ａ７の光軸１ａ１’，１ａ２’，１ａ７’が水平方向に指向せしめられている。
【００８８】
更に、第１の実施形態のＬＥＤ照明装置１０では、図１に示すように、導光レンズ３ａのレンズ部３ａ１とレンズ部３ａ２とが、橋絡部３ａ１２を介して接続されている。また、導光レンズ３ａのレンズ部３ａ２とレンズ部３ａ７とが、橋絡部３ａ２７を介して接続されている。更に、導光レンズ３ａのレンズ部３ａ１，３ａ２，３ａ７が脚部３ａ０１，３ａ７０を介して基板２ａに接続されている。その結果、基板２ａに実装されたＬＥＤ光源１ａ１に対して導光レンズ３ａのレンズ部３ａ１が位置決めされ、基板２ａに実装されたＬＥＤ光源１ａ２に対して導光レンズ３ａのレンズ部３ａ２が位置決めされ、基板２ａに実装されたＬＥＤ光源１ａ７に対して導光レンズ３ａのレンズ部３ａ７が位置決めされている。
【００８９】
また、第１の実施形態のＬＥＤ照明装置１０では、導光レンズ３ａのレンズ部３ａ１，３ａ２，３ａ７が、図１に示す断面形状を図１の手前側−奥側方向に押し出すことにより得られる形状（柱状）に形成されている。
【００９０】
詳細には、第１の実施形態のＬＥＤ照明装置１０では、図２に示すように、光軸１ａ７’と例えば０°〜３３°のような小さい角度をなしてＬＥＤ光源１ａ７から放射された上向きの光が入射する凸状の入射面３ａ７ａ１が、導光レンズ３ａのレンズ部３ａ７に形成されている。また、光軸１ａ７’と例えば３３°〜９０°のような大きい角度をなしてＬＥＤ光源１ａ７から放射された上向きの光が入射する例えば平面状の入射面３ａ７ｂが、導光レンズ３ａのレンズ部３ａ７に形成されている。更に、光軸１ａ７’と例えば０°〜９０°のような角度をなしてＬＥＤ光源１ａ７から放射された下向きの光が入射する凹状の入射面３ａ７ａ２が、導光レンズ３ａのレンズ部３ａ７に形成されている。また、入射面３ａ７ｂからの光を反射して概略光軸１ａ７’の方向に進む光Ｌ３ａ７ｅ２，Ｌ３ａ７ｅ３ａ，Ｌ３ａ７ｅ４（図３（Ｃ）、図４（Ａ）および図４（Ｂ）参照）にする反射面３ａ７ｃが、導光レンズ３ａのレンズ部３ａ７に形成されている。
【００９１】
また、第１の実施形態のＬＥＤ照明装置１０では、図２に示すように、入射面３ａ７ａ１からの光Ｌ３ａ７ｅ１（図３（Ａ）参照）を出射するための反射型出射部３ａ７ｅ１と、入射面３ａ７ａ１からの光Ｌ３ａ７ｅ３（図３（Ｂ）参照）および反射面３ａ７ｃからの光Ｌ３ａ７ｅ３ａ（図３（Ｃ）参照）を出射するための反射型出射部３ａ７ｅ３と、反射面３ａ７ｃからの光Ｌ３ａ７ｅ２（図４（Ａ）参照）を出射するための反射型出射部３ａ７ｅ２と、反射面３ａ７ｃからの光Ｌ３ａ７ｅ４（図４（Ｂ）参照）を出射するための反射型出射部３ａ７ｅ４とが、導光レンズ３ａのレンズ部３ａ７に形成されている。
【００９２】
更に、第１の実施形態のＬＥＤ照明装置１０では、図２に示すように、入射面３ａ７ａ２からの光Ｌ３ａ７ｆ２ａ，Ｌ３ａ７ｆ２ｂ（図４（Ｃ）および図５（Ａ）参照）を出射するための反射型出射部３ａ７ｆと、入射面３ａ７ａ２からの光Ｌ３ａ７ｇ（図５（Ｂ）参照）を出射するための屈折型出射部３ａ７ｇとが、導光レンズ３ａのレンズ部３ａ７に形成されている。
【００９３】
また、第１の実施形態のＬＥＤ照明装置１０では、図２に示すように、反射型出射部３ａ７ｅ２が反射型出射部３ａ７ｅ１よりも上側に配置されている。また、反射型出射部３ａ７ｅ３が反射型出射部３ａ７ｅ１と反射型出射部３ａ７ｅ２との間に配置されている。更に、反射型出射部３ａ７ｅ４が反射型出射部３ａ７ｅ２よりも上側に配置されている。
【００９４】
更に、第１の実施形態のＬＥＤ照明装置１０では、図２に示すように、反射型出射部３ａ７ｆおよび屈折型出射部３ａ７ｇが反射型出射部３ａ７ｅ１よりも下側に配置されている。
【００９５】
詳細には、第１の実施形態のＬＥＤ照明装置１０では、図３（Ａ）に示すように、光軸１ａ７’と例えば１５°の角度をなしてＬＥＤ光源１ａ７から上向きに放射されて入射面３ａ７ａ１を透過せしめられ、概略光軸１ａ７’の方向に進む光Ｌ３ａ７ｅ１が、反射型出射部３ａ７ｅ１の反射面３ａ７ｅ１ａ（図２参照）によって反射され、次いで、反射型出射部３ａ７ｅ１の出射面３ａ７ｅ１ｂ（図２参照）を透過せしめられ、水平面と例えば７２°の角度をなす下向きの光Ｌ３ａ７ｅ１’になって照射される。
【００９６】
また、第１の実施形態のＬＥＤ照明装置１０では、図３（Ｂ）に示すように、光軸１ａ７’と例えば３３°の角度をなしてＬＥＤ光源１ａ７から上向きに放射されて入射面３ａ７ａ１を透過せしめられ、概略光軸１ａ７’の方向に進む光Ｌ３ａ７ｅ３が、反射型出射部３ａ７ｅ３の反射面３ａ７ｅ３ａ（図２参照）によって反射され、次いで、反射型出射部３ａ７ｅ３の出射面３ａ７ｅ３ｂ（図２参照）を透過せしめられ、水平面と例えば７１°の角度をなす下向きの光Ｌ３ａ７ｅ３’になって照射される。
【００９７】
更に、第１の実施形態のＬＥＤ照明装置１０では、図３（Ｃ）に示すように、光軸１ａ７’と例えば８０°の角度をなしてＬＥＤ光源１ａ７から上向きに放射されて入射面３ａ７ｂを透過せしめられ、次いで、反射面３ａ７ｃによって反射され、概略光軸１ａ７’の方向に進む光Ｌ３ａ７ｅ３ａが、反射型出射部３ａ７ｅ３の反射面３ａ７ｅ３ａ（図２参照）によって反射され、次いで、反射型出射部３ａ７ｅ３の出射面３ａ７ｅ３ｂ（図２参照）を透過せしめられ、水平面と例えば７０°の角度をなす下向きの光Ｌ３ａ７ｅ３ｂになって照射される。
【００９８】
また、第１の実施形態のＬＥＤ照明装置１０では、図４（Ａ）に示すように、光軸１ａ７’と例えば６５°の角度をなしてＬＥＤ光源１ａ７から上向きに放射されて入射面３ａ７ｂを透過せしめられ、次いで、反射面３ａ７ｃによって反射され、概略光軸１ａ７’の方向に進む光Ｌ３ａ７ｅ２が、反射型出射部３ａ７ｅ２の反射面３ａ７ｅ２ａ（図２参照）によって反射され、次いで、反射型出射部３ａ７ｅ２の出射面３ａ７ｅ２ｂ（図２参照）を透過せしめられ、水平面と例えば７１°の角度をなす下向きの光Ｌ３ａ７ｅ２’になって照射される。
【００９９】
更に、第１の実施形態のＬＥＤ照明装置１０では、図４（Ｂ）に示すように、光軸１ａ７’と例えば４５°の角度をなしてＬＥＤ光源１ａ７から上向きに放射されて入射面３ａ７ｂを透過せしめられ、次いで、反射面３ａ７ｃによって反射され、概略光軸１ａ７’の方向に進む光Ｌ３ａ７ｅ４が、反射型出射部３ａ７ｅ４の反射面３ａ７ｅ４ａ（図２参照）によって反射され、次いで、反射型出射部３ａ７ｅ４の出射面３ａ７ｅ４ｂ（図２参照）を透過せしめられ、水平面と例えば７２°の角度をなす下向きの光Ｌ３ａ７ｅ４’になって照射される。
【０１００】
また、第１の実施形態のＬＥＤ照明装置１０では、図４（Ｃ）に示すように、光軸１ａ７’と例えば１５°の角度をなしてＬＥＤ光源１ａ７から下向きに放射され、入射面３ａ７ａ２を透過せしめられた光Ｌ３ａ７ｆ２ａが、反射型出射部３ａ７ｆの反射面３ａ７ｆ１によって反射され、次いで、反射型出射部３ａ７ｆの出射面３ａ７ｆ２ａを透過せしめられ、水平面と例えば８３°の角度をなす下向きの光Ｌ３ａ７ｆ２ａ’になって照射される。
【０１０１】
更に、第１の実施形態のＬＥＤ照明装置１０では、図５（Ａ）に示すように、光軸１ａ７’と例えば３５°の角度をなしてＬＥＤ光源１ａ７から下向きに放射され、入射面３ａ７ａ２を透過せしめられた光Ｌ３ａ７ｆ２ｂが、反射型出射部３ａ７ｆの反射面３ａ７ｆ１によって反射され、次いで、反射型出射部３ａ７ｆの出射面３ａ７ｆ２ｂを透過せしめられ、水平面と９０°の角度をなす下向きの光Ｌ３ａ７ｆ２ｂ’になって照射される。
【０１０２】
また、第１の実施形態のＬＥＤ照明装置１０では、図５（Ｂ）に示すように、光軸１ａ７’と例えば８０°の角度をなしてＬＥＤ光源１ａ７から下向きに放射され、入射面３ａ７ａ２を透過せしめられた光Ｌ３ａ７ｇが、屈折型出射部３ａ７ｇの出射面３ａ７ｇ１を透過せしめられ、水平面と例えば７１°の角度をなす下向きの光Ｌ３ａ７ｇ’になって照射される。
【０１０３】
そのため、第１の実施形態のＬＥＤ照明装置１０によれば、特許文献１（特開２０１０−１７９６６４号公報）に記載されたＬＥＤ照明装置のように光軸が下向きに指向せしめられたＬＥＤ光源を設ける必要なく、水平面と様々な角度をなす下向きの光Ｌ３ａ７ｅ１’，Ｌ３ａ７ｅ２’，Ｌ３ａ７ｅ３’，Ｌ３ａ７ｅ３ｂ，Ｌ３ａ７ｅ４’，Ｌ３ａ７ｆ２ａ’，Ｌ３ａ７ｆ２ｂ’，Ｌ３ａ７ｇ’（図３〜図５参照）を照射することができる。
【０１０４】
換言すれば、第１の実施形態のＬＥＤ照明装置１０によれば、特許文献１（特開２０１０−１７９６６４号公報）に記載されたＬＥＤ照明装置のように、光軸が下向きに指向せしめられたＬＥＤ光源を実装するための基板を、光軸が水平に指向せしめられたＬＥＤ光源を実装するための基板とは別個に設ける必要なく、水平面と様々な角度をなす下向きの光Ｌ３ａ７ｅ１’，Ｌ３ａ７ｅ２’，Ｌ３ａ７ｅ３’，Ｌ３ａ７ｅ３ｂ，Ｌ３ａ７ｅ４’，Ｌ３ａ７ｆ２ａ’，Ｌ３ａ７ｆ２ｂ’，Ｌ３ａ７ｇ’（図３〜図５参照）を照射することができる。
【０１０５】
つまり、第１の実施形態のＬＥＤ照明装置１０によれば、特許文献１（特開２０１０−１７９６６４号公報）に記載されたＬＥＤ照明装置よりも基板の数を削減しつつ、水平面と様々な角度をなす下向きの光Ｌ３ａ７ｅ１’，Ｌ３ａ７ｅ２’，Ｌ３ａ７ｅ３’，Ｌ３ａ７ｅ３ｂ，Ｌ３ａ７ｅ４’，Ｌ３ａ７ｆ２ａ’，Ｌ３ａ７ｆ２ｂ’，Ｌ３ａ７ｇ’（図３〜図５参照）を照射することができる。
【０１０６】
詳細には、第１の実施形態のＬＥＤ照明装置１０では、図５（Ｂ）に示すように、ＬＥＤ光源１ａ７の光軸１ａ７’と例えば６５°〜９０°の大きい角度をなしてＬＥＤ光源１ａ７から下向きに放射され、入射面３ａ７ａ２を透過せしめられた光Ｌ３ａ７ｇが、屈折型出射部３ａ７ｇの出射面３ａ７ｇ１によって屈折せしめられ、水平面と、９０°より小さい例えば７１°の角度をなす下向きの光Ｌ３ａ７ｇ’になって照射される。
【０１０７】
一方、第１の実施形態のＬＥＤ照明装置１０では、図５（Ａ）に示すように、ＬＥＤ光源１ａ７の光軸１ａ７’と例えば３０°〜４０°の小さい角度をなしてＬＥＤ光源１ａ７から下向きに放射され、入射面３ａ７ａ２を透過せしめられた、光Ｌ３ａ７ｇ（図５（Ｂ）参照）よりも高い光度を有する光Ｌ３ａ７ｆ２ｂが、反射型出射部３ａ７ｆの反射面３ａ７ｆ１によって反射され、次いで、反射型出射部３ａ７ｆの出射面３ａ７ｆ２ｂを透過せしめられ、水平面と９０°をなす下向きの光Ｌ３ａ７ｆ２ｂ’になって照射される。
【０１０８】
換言すれば、第１の実施形態のＬＥＤ照明装置１０では、図５（Ａ）に示すように、ＬＥＤ光源１ａ７の光軸１ａ７’と小さい角度をなしてＬＥＤ光源１ａ７から下向きに放射された高い光度を有する光が、水平面と９０°をなす下向きの光Ｌ３ａ７ｆ２ｂ’になって照射される。
【０１０９】
そのため、第１の実施形態のＬＥＤ照明装置１０によれば、ＬＥＤ光源１ａ７の光軸１ａ７’と大きい角度をなしてＬＥＤ光源１ａ７から下向きに放射された低い光度を有する光が水平面と９０°をなす下向きの光になって照射される場合よりも、ＬＥＤ照明装置１０の直下を明るく照らすことができる。
【０１１０】
また、第１の実施形態のＬＥＤ照明装置１０では、図２に示すように、反射型出射部３ａ７ｅ１の反射面３ａ７ｅ１ａと反射型出射部３ａ７ｅ３の反射面３ａ７ｅ３ａとの間に反射型出射部３ａ７ｅ３の出射面３ａ７ｅ３ｂが配置されている。更に、反射型出射部３ａ７ｅ２の反射面３ａ７ｅ２ａと反射型出射部３ａ７ｅ３の反射面３ａ７ｅ３ａとの間に反射型出射部３ａ７ｅ２の出射面３ａ７ｅ２ｂが配置されている。
【０１１１】
そのため、第１の実施形態のＬＥＤ照明装置１０によれば、反射型出射部３ａ７ｅ１の反射面３ａ７ｅ１ａと反射型出射部３ａ７ｅ３の反射面３ａ７ｅ３ａとが、隣接して配置され、連続的に形成されている場合や、反射型出射部３ａ７ｅ２の反射面３ａ７ｅ２ａと反射型出射部３ａ７ｅ３の反射面３ａ７ｅ３ａとが、隣接して配置され、連続的に形成されている場合よりも、導光レンズ３ａのレンズ部３ａ７の厚さ寸法（図２の左右方向寸法）を薄型化することができる。
【０１１２】
つまり、第１の実施形態のＬＥＤ照明装置１０によれば、反射型出射部３ａ７ｅ１の反射面３ａ７ｅ１ａの上端部と反射型出射部３ａ７ｅ３の反射面３ａ７ｅ３ａの下端部とが一致せしめられている場合や、反射型出射部３ａ７ｅ２の反射面３ａ７ｅ２ａの下端部と反射型出射部３ａ７ｅ３の反射面３ａ７ｅ３ａの上端部とが一致せしめられている場合よりも、導光レンズ３ａのレンズ部３ａ７の厚さ寸法（図２の左右方向寸法）を薄型化することができる。
【０１１３】
更に、第１の実施形態のＬＥＤ照明装置１０では、図６に示すように、光軸１ａ１’と例えば０°〜３３°のような小さい角度をなしてＬＥＤ光源１ａ１から放射された上向きの光および下向きの光が入射する凸状の入射面３ａ１ａが、導光レンズ３ａのレンズ部３ａ１に形成されている。また、光軸１ａ１’と例えば３３°〜９０°のような大きい角度をなしてＬＥＤ光源１ａ１から放射された上向きの光および下向きの光が入射する例えば平面状の入射面３ａ１ｂが、導光レンズ３ａのレンズ部３ａ１に形成されている。更に、入射面３ａ１ｂからの光を反射して概略光軸１ａ１’の方向に進む光Ｌ３ａ１ｄ２，Ｌ３ａ１ｄ３ａ，Ｌ３ａ１ｄ４，Ｌ３ａ１ｄ５，Ｌ３ａ１ｅ２，Ｌ３ａ１ｅ３ａ，Ｌ３ａ１ｅ４，Ｌ３ａ１ｅ５（図７（Ｃ）、図８（Ａ）、図８（Ｂ）、図８（Ｃ）、図９（Ｃ）、図１０（Ａ）、図１０（Ｂ）および図１０（Ｃ）参照）にする反射面３ａ１ｃが、導光レンズ３ａのレンズ部３ａ１に形成されている。
【０１１４】
更に、第１の実施形態のＬＥＤ照明装置１０では、図６に示すように、入射面３ａ１ａからの光Ｌ３ａ１ｄ１（図７（Ａ）参照）を出射するための屈折型出射部３ａ１ｄ１と、入射面３ａ１ａからの光Ｌ３ａ１ｄ３（図７（Ｂ）参照）および反射面３ａ１ｃからの光Ｌ３ａ１ｄ３ａ（図７（Ｃ）参照）を出射するための屈折型出射部３ａ１ｄ３と、反射面３ａ１ｃからの光Ｌ３ａ１ｄ２（図８（Ａ）参照）を出射するための屈折型出射部３ａ１ｄ２と、反射面３ａ１ｃからの光Ｌ３ａ１ｄ５（図８（Ｂ）参照）を出射するための屈折型出射部３ａ１ｄ５と、反射面３ａ１ｃからの光Ｌ３ａ１ｄ４（図８（Ｃ）参照）を出射するための屈折型出射部３ａ１ｄ４とが、導光レンズ３ａのレンズ部３ａ１に形成されている。
【０１１５】
また、第１の実施形態のＬＥＤ照明装置１０では、図６に示すように、入射面３ａ１ａからの光Ｌ３ａ１ｅ１（図９（Ａ）参照）を出射するための反射型出射部３ａ１ｅ１と、入射面３ａ１ａからの光Ｌ３ａ１ｅ３（図９（Ｂ）参照）および反射面３ａ１ｃからの光Ｌ３ａ１ｅ３ａ（図９（Ｃ）参照）を出射するための反射型出射部３ａ１ｅ３と、反射面３ａ１ｃからの光Ｌ３ａ１ｅ２（図１０（Ａ）参照）を出射するための反射型出射部３ａ１ｅ２と、反射面３ａ１ｃからの光Ｌ３ａ１ｅ５（図１０（Ｂ）参照）を出射するための反射型出射部３ａ１ｅ５と、反射面３ａ１ｃからの光Ｌ３ａ１ｅ４（図１０（Ｃ）参照）を出射するための反射型出射部３ａ１ｅ４とが、導光レンズ３ａのレンズ部３ａ１に形成されている。
【０１１６】
更に、第１の実施形態のＬＥＤ照明装置１０では、図６に示すように、屈折型出射部３ａ１ｄ２が屈折型出射部３ａ１ｄ１よりも上側に配置されている。また、屈折型出射部３ａ１ｄ３が屈折型出射部３ａ１ｄ１と屈折型出射部３ａ１ｄ２との間に配置されている。更に、屈折型出射部３ａ１ｄ４が屈折型出射部３ａ１ｄ２よりも上側に配置されている。また、屈折型出射部３ａ１ｄ５が屈折型出射部３ａ１ｄ２と屈折型出射部３ａ１ｄ４との間に配置されている。
【０１１７】
また、第１の実施形態のＬＥＤ照明装置１０では、図６に示すように、反射型出射部３ａ１ｅ１が屈折型出射部３ａ１ｄ１よりも下側に配置されている。更に、反射型出射部３ａ１ｅ２が反射型出射部３ａ１ｅ１よりも下側に配置されている。また、反射型出射部３ａ１ｅ３が反射型出射部３ａ１ｅ１と反射型出射部３ａ１ｅ２との間に配置されている。更に、反射型出射部３ａ１ｅ４が反射型出射部３ａ１ｅ２よりも下側に配置されている。また、反射型出射部３ａ１ｅ５が反射型出射部３ａ１ｅ２と反射型出射部３ａ１ｅ４との間に配置されている。
【０１１８】
詳細には、第１の実施形態のＬＥＤ照明装置１０では、図７（Ａ）に示すように、光軸１ａ１’と例えば１５°の角度をなしてＬＥＤ光源１ａ１から上向きに放射されて入射面３ａ１ａを透過せしめられ、概略光軸１ａ１’の方向に進む光Ｌ３ａ１ｄ１が、屈折型出射部３ａ１ｄ１の出射面３ａ１ｄ１ａ（図６参照）によって屈折せしめられ、水平面と例えば３７°の角度をなす下向きの光Ｌ３ａ１ｄ１’になって照射される。
【０１１９】
また、第１の実施形態のＬＥＤ照明装置１０では、図７（Ｂ）に示すように、光軸１ａ１’と例えば３０°の角度をなしてＬＥＤ光源１ａ１から上向きに放射されて入射面３ａ１ａを透過せしめられ、概略光軸１ａ１’の方向に進む光Ｌ３ａ１ｄ３が、屈折型出射部３ａ１ｄ３の出射面３ａ１ｄ３ａ（図６参照）によって屈折せしめられ、水平面と例えば３０°の角度をなす下向きの光Ｌ３ａ１ｄ３’になって照射される。
【０１２０】
更に、第１の実施形態のＬＥＤ照明装置１０では、図７（Ｃ）に示すように、光軸１ａ１’と例えば８０°の角度をなしてＬＥＤ光源１ａ１から上向きに放射されて入射面３ａ１ｂを透過せしめられ、次いで、反射面３ａ１ｃによって反射され、概略光軸１ａ１’の方向に進む光Ｌ３ａ１ｄ３ａが、屈折型出射部３ａ１ｄ３の出射面３ａ１ｄ３ａ（図６参照）によって屈折せしめられ、水平面と例えば２８°の角度をなす下向きの光Ｌ３ａ１ｄ３ｂになって照射される。
【０１２１】
また、第１の実施形態のＬＥＤ照明装置１０では、図８（Ａ）に示すように、光軸１ａ１’と例えば６５°の角度をなしてＬＥＤ光源１ａ１から上向きに放射されて入射面３ａ１ｂを透過せしめられ、次いで、反射面３ａ１ｃによって反射され、概略光軸１ａ１’の方向に進む光Ｌ３ａ１ｄ２が、屈折型出射部３ａ１ｄ２の出射面３ａ１ｄ２ａ（図６参照）によって屈折せしめられ、水平面と例えば２３°の角度をなす下向きの光Ｌ３ａ１ｄ２’になって照射される。
【０１２２】
更に、第１の実施形態のＬＥＤ照明装置１０では、図８（Ｂ）に示すように、光軸１ａ１’と例えば４５°の角度をなしてＬＥＤ光源１ａ１から上向きに放射されて入射面３ａ１ｂを透過せしめられ、次いで、反射面３ａ１ｃによって反射され、概略光軸１ａ１’の方向に進む光Ｌ３ａ１ｄ５が、屈折型出射部３ａ１ｄ５の出射面３ａ１ｄ５ａ（図６参照）によって屈折せしめられ、水平面と例えば１６°の角度をなす下向きの光Ｌ３ａ１ｄ５’になって照射される。
【０１２３】
また、第１の実施形態のＬＥＤ照明装置１０では、図８（Ｃ）に示すように、光軸１ａ１’と例えば３５°の角度をなしてＬＥＤ光源１ａ１から上向きに放射されて入射面３ａ１ｂを透過せしめられ、次いで、反射面３ａ１ｃによって反射され、概略光軸１ａ１’の方向に進む光Ｌ３ａ１ｄ４が、屈折型出射部３ａ１ｄ４の出射面３ａ１ｄ４ａ（図６参照）によって屈折せしめられ、水平面と例えば５°の角度をなす下向きの光Ｌ３ａ１ｄ４’になって照射される。
【０１２４】
更に、第１の実施形態のＬＥＤ照明装置１０では、図９（Ａ）に示すように、光軸１ａ１’と例えば１５°の角度をなしてＬＥＤ光源１ａ１から下向きに放射されて入射面３ａ１ａを透過せしめられ、概略光軸１ａ１’の方向に進む光Ｌ３ａ１ｅ１が、反射型出射部３ａ１ｅ１の反射面３ａ１ｅ１ａによって反射され、次いで、反射型出射部３ａ１ｅ１の出射面３ａ１ｅ１ｂを透過せしめられ、水平面と例えば４３°の角度をなす下向きの光Ｌ３ａ１ｅ１’になって照射される。
【０１２５】
また、第１の実施形態のＬＥＤ照明装置１０では、図９（Ｂ）に示すように、光軸１ａ１’と例えば３０°の角度をなしてＬＥＤ光源１ａ１から下向きに放射されて入射面３ａ１ａを透過せしめられ、概略光軸１ａ１’の方向に進む光Ｌ３ａ１ｅ３が、反射型出射部３ａ１ｅ３の反射面３ａ１ｅ３ａによって反射され、次いで、反射型出射部３ａ１ｅ３の出射面３ａ１ｅ３ｂを透過せしめられ、水平面と例えば５０°の角度をなす下向きの光Ｌ３ａ１ｅ３’になって照射される。
【０１２６】
更に、第１の実施形態のＬＥＤ照明装置１０では、図９（Ｃ）に示すように、光軸１ａ１’と例えば８５°の角度をなしてＬＥＤ光源１ａ１から下向きに放射されて入射面３ａ１ｂを透過せしめられ、次いで、反射面３ａ１ｃによって反射され、概略光軸１ａ１’の方向に進む光Ｌ３ａ１ｅ３ａが、反射型出射部３ａ１ｅ３の反射面３ａ１ｅ３ａによって反射され、次いで、反射型出射部３ａ１ｅ３の出射面３ａ１ｅ３ｂを透過せしめられ、水平面と例えば４９°の角度をなす下向きの光Ｌ３ａ１ｅ３ｂになって照射される。
【０１２７】
また、第１の実施形態のＬＥＤ照明装置１０では、図１０（Ａ）に示すように、光軸１ａ１’と例えば６５°の角度をなしてＬＥＤ光源１ａ１から下向きに放射されて入射面３ａ１ｂを透過せしめられ、次いで、反射面３ａ１ｃによって反射され、概略光軸１ａ１’の方向に進む光Ｌ３ａ１ｅ２が、反射型出射部３ａ１ｅ２の反射面３ａ１ｅ２ａによって反射され、次いで、反射型出射部３ａ１ｅ２の出射面３ａ１ｅ２ｂを透過せしめられ、水平面と例えば５３°の角度をなす下向きの光Ｌ３ａ１ｅ２’になって照射される。
【０１２８】
更に、第１の実施形態のＬＥＤ照明装置１０では、図１０（Ｂ）に示すように、光軸１ａ１’と例えば４５°の角度をなしてＬＥＤ光源１ａ１から下向きに放射されて入射面３ａ１ｂを透過せしめられ、次いで、反射面３ａ１ｃによって反射され、概略光軸１ａ１’の方向に進む光Ｌ３ａ１ｅ５が、反射型出射部３ａ１ｅ５の反射面３ａ１ｅ５ａによって反射され、次いで、反射型出射部３ａ１ｅ５の出射面３ａ１ｅ５ｂを透過せしめられ、水平面と例えば５７°の角度をなす下向きの光Ｌ３ａ１ｅ５’になって照射される。
【０１２９】
また、第１の実施形態のＬＥＤ照明装置１０では、図１０（Ｃ）に示すように、光軸１ａ１’と例えば３５°の角度をなしてＬＥＤ光源１ａ１から下向きに放射されて入射面３ａ１ｂを透過せしめられ、次いで、反射面３ａ１ｃによって反射され、概略光軸１ａ１’の方向に進む光Ｌ３ａ１ｅ４が、反射型出射部３ａ１ｅ４の反射面３ａ１ｅ４ａによって反射され、次いで、反射型出射部３ａ１ｅ４の出射面３ａ１ｅ４ｂを透過せしめられ、水平面と例えば６０°の角度をなす下向きの光Ｌ３ａ１ｅ４’になって照射される。
【０１３０】
更に、第１の実施形態のＬＥＤ照明装置１０では、ＬＥＤ光源１ａ２がＬＥＤ光源１ａ１と同一の仕様に設定されている。また、導光レンズ３ａのレンズ部３ａ２が、レンズ部３ａ１と同一の形状に形成されている。
【０１３１】
換言すれば、第１の実施形態のＬＥＤ照明装置１０では、図７（Ａ）に示すように、屈折型出射部３ａ１ｄ１の出射面３ａ１ｄ１ａ（図６参照）から、水平面と例えば３７°の角度をなす下向きの光Ｌ３ａ１ｄ１’が照射される。更に、図８（Ａ）に示すように、屈折型出射部３ａ１ｄ２の出射面３ａ１ｄ２ａ（図６参照）から、水平面と、３７°より小さい例えば２３°の角度をなす下向きの光Ｌ３ａ１ｄ２’が照射される。
【０１３２】
また、第１の実施形態のＬＥＤ照明装置１０では、図９（Ａ）に示すように、反射型出射部３ａ１ｅ１の出射面３ａ１ｅ１ｂから、水平面と、３７°および２３°より大きい例えば４３°の角度をなす下向きの光Ｌ３ａ１ｅ１’が照射される。更に、図１０（Ａ）に示すように、反射型出射部３ａ１ｅ２の出射面３ａ１ｅ２ｂから、水平面と、３７°および２３°より大きく、かつ、４３°より大きい例えば５３°の角度をなす下向きの光Ｌ３ａ１ｅ２’が照射される。
【０１３３】
そのため、第１の実施形態のＬＥＤ照明装置１０によれば、特許文献１（特開２０１０−１７９６６４号公報）に記載されたＬＥＤ照明装置のように光軸が下向きに指向せしめられたＬＥＤ光源を設ける必要なく、水平面と様々な角度をなす下向きの光Ｌ３ａ１ｄ１’，Ｌ３ａ１ｄ２’，Ｌ３ａ１ｅ１’，Ｌ３ａ１ｅ２’（図７（Ａ）、図８（Ａ）、図９（Ａ）および図１０（Ａ）参照）を照射することができる。
【０１３４】
すなわち、第１の実施形態のＬＥＤ照明装置１０によれば、特許文献１（特開２０１０−１７９６６４号公報）に記載されたＬＥＤ照明装置のように、光軸が下向きに指向せしめられたＬＥＤ光源を実装するための基板を、光軸が水平に指向せしめられたＬＥＤ光源を実装するための基板とは別個に設ける必要なく、水平面と様々な角度をなす下向きの光Ｌ３ａ１ｄ１’，Ｌ３ａ１ｄ２’，Ｌ３ａ１ｅ１’，Ｌ３ａ１ｅ２’（図７（Ａ）、図８（Ａ）、図９（Ａ）および図１０（Ａ）参照）を照射することができる。
【０１３５】
つまり、第１の実施形態のＬＥＤ照明装置１０によれば、特許文献１（特開２０１０−１７９６６４号公報）に記載されたＬＥＤ照明装置よりも基板の数を削減しつつ、水平面と様々な角度をなす下向きの光Ｌ３ａ１ｄ１’，Ｌ３ａ１ｄ２’，Ｌ３ａ１ｅ１’，Ｌ３ａ１ｅ２’（図７（Ａ）、図８（Ａ）、図９（Ａ）および図１０（Ａ）参照）を照射することができる。
【０１３６】
更に、第１の実施形態のＬＥＤ照明装置１０では、図７（Ｂ）に示すように、入射面３ａ１ａからの光Ｌ３ａ１ｄ３が、屈折型出射部３ａ１ｄ３の出射面３ａ１ｄ３ａ（図６参照）によって屈折せしめられ、水平面と、３７°より小さく２３°より大きい例えば３０°の角度をなす下向きの光Ｌ３ａ１ｄ３’になって照射される。
【０１３７】
また、第１の実施形態のＬＥＤ照明装置１０では、図７（Ｃ）に示すように、反射面３ａ１ｃからの光Ｌ３ａ１ｄ３ａが、屈折型出射部３ａ１ｄ３の出射面３ａ１ｄ３ａ（図６参照）によって屈折せしめられ、水平面と、３７°より小さく２３°より大きい例えば２８°の角度をなす下向きの光Ｌ３ａ１ｄ３ｂになって照射される。
【０１３８】
更に、第１の実施形態のＬＥＤ照明装置１０では、図９（Ｂ）に示すように、入射面３ａ１ａからの光Ｌ３ａ１ｅ３が、反射型出射部３ａ１ｅ３の反射面３ａ１ｅ３ａによって反射され、次いで、反射型出射部３ａ１ｅ３の出射面３ａ１ｅ３ｂを透過せしめられ、水平面と、４３°より大きく５３°より小さい例えば５０°の角度をなす下向きの光Ｌ３ａ１ｅ３’になって照射される。
【０１３９】
また、第１の実施形態のＬＥＤ照明装置１０では、図９（Ｃ）に示すように、反射面３ａ１ｃからの光Ｌ３ａ１ｅ３ａが、反射型出射部３ａ１ｅ３の反射面３ａ１ｅ３ａによって反射され、次いで、反射型出射部３ａ１ｅ３の出射面３ａ１ｅ３ｂを透過せしめられ、水平面と、４３°より大きく５３°より小さい例えば４９°の角度をなす下向きの光Ｌ３ａ１ｅ３ｂになって照射される。
【０１４０】
そのため、第１の実施形態のＬＥＤ照明装置１０によれば、水平面と３７°より小さく２３°より大きい例えば３０°の角度をなす下向きの光Ｌ３ａ１ｄ３’および水平面と例えば２８°の角度をなす下向きの光Ｌ３ａ１ｄ３ｂが照射されず、水平面と４３°より大きく５３°より小さい例えば５０°の角度をなす下向きの光Ｌ３ａ１ｅ３’および水平面と例えば４９°の角度をなす下向きの光Ｌ３ａ１ｅ３ｂが照射されない場合よりも、ＬＥＤ照明装置１０からの照射光Ｌ３ａ１ｄ１’，Ｌ３ａ１ｄ２’，Ｌ３ａ１ｄ３’，Ｌ３ａ１ｄ３ｂ，Ｌ３ａ１ｅ１’，Ｌ３ａ１ｅ２’，Ｌ３ａ１ｅ３’，Ｌ３ａ１ｅ３ｂによって形成される配光パターンの照度ムラを低減することができる。
【０１４１】
更に、第１の実施形態のＬＥＤ照明装置１０では、図６に示すように、反射型出射部３ａ１ｅ１の反射面３ａ１ｅ１ａと反射型出射部３ａ１ｅ３の反射面３ａ１ｅ３ａとの間に反射型出射部３ａ１ｅ１の出射面３ａ１ｅ１ｂが配置されている。そのため、第１の実施形態のＬＥＤ照明装置１０によれば、反射型出射部３ａ１ｅ１の反射面３ａ１ｅ１ａと反射型出射部３ａ１ｅ３の反射面３ａ１ｅ３ａとが、隣接して配置され、連続的に形成されている場合、つまり、反射型出射部３ａ１ｅ１の反射面３ａ１ｅ１ａの下端部と反射型出射部３ａ１ｅ３の反射面３ａ１ｅ３ａの上端部とが一致せしめられている場合よりも、導光レンズ３ａのレンズ部３ａ１の厚さ寸法（図６の左右方向寸法）を薄型化することができる。
【０１４２】
また、第１の実施形態のＬＥＤ照明装置１０では、図７（Ｃ）に示すように、反射面３ａ１ｃからの光Ｌ３ａ１ｄ４が、屈折型出射部３ａ１ｄ４の出射面３ａ１ｄ４ａ（図６参照）によって屈折せしめられ、水平面と、２３°より小さい例えば５°の角度をなす下向きの光Ｌ３ａ１ｄ４’になって照射される。
【０１４３】
更に、第１の実施形態のＬＥＤ照明装置１０では、図１０（Ｃ）に示すように、反射面３ａ１ｃからの光Ｌ３ａ１ｅ４が、反射型出射部３ａ１ｅ４の反射面３ａ１ｅ４ａによって反射され、次いで、反射型出射部３ａ１ｅ４の出射面３ａ１ｅ４ｂを透過せしめられ、水平面と、５３°より大きい例えば６０°の角度をなす下向きの光Ｌ３ａ１ｅ４’になって照射される。
【０１４４】
そのため、第１の実施形態のＬＥＤ照明装置１０によれば、水平面と２３°より小さい例えば５°の角度をなす下向きの光Ｌ３ａ１ｄ４’が照射されず、水平面と５３°より大きい例えば６０°の角度をなす下向きの光Ｌ３ａ１ｅ４’が照射されない場合よりも、ＬＥＤ照明装置１０からの光Ｌ３ａ１ｄ１’，Ｌ３ａ１ｄ２’，Ｌ３ａ１ｄ３’，Ｌ３ａ１ｄ３ｂ，Ｌ３ａ１ｄ４’，Ｌ３ａ１ｅ１’，Ｌ３ａ１ｅ２’，Ｌ３ａ１ｅ３’，Ｌ３ａ１ｅ３ｂ，Ｌ３ａ１ｅ４’を広範囲（広角度）にわたって照射することができる。
【０１４５】
また、第１の実施形態のＬＥＤ照明装置１０では、図８（Ｂ）に示すように、反射面３ａ１ｃからの光Ｌ３ａ１ｄ５が、屈折型出射部３ａ１ｄ５の出射面３ａ１ｄ５ａ（図６参照）によって屈折せしめられ、水平面と、２３°より小さく５°より大きい例えば１６°の角度をなす下向きの光Ｌ３ａ１ｄ５’になって照射される。
【０１４６】
更に、第１の実施形態のＬＥＤ照明装置１０では、図１０（Ｂ）に示すように、反射面３ａ１ｃからの光Ｌ３ａ１ｅ５が、反射型出射部３ａ１ｅ５の反射面３ａ１ｅ５ａによって反射され、次いで、反射型出射部３ａ１ｅ５の出射面３ａ１ｅ５ｂを透過せしめられ、水平面と、５３°より大きく６０°より小さい例えば５７°の角度をなす下向きの光Ｌ３ａ１ｅ５’になって照射される。
【０１４７】
そのため、第１の実施形態のＬＥＤ照明装置１０によれば、水平面と２３°より小さく５°より大きい例えば１６°の角度をなす下向きの光Ｌ３ａ１ｄ５’が照射されず、水平面と５３°より大きく６０°より小さい例えば５７°の角度をなす下向きの光Ｌ３ａ１ｅ５’が照射されない場合よりも、ＬＥＤ照明装置１０からの照射光Ｌ３ａ１ｄ１’，Ｌ３ａ１ｄ２’，Ｌ３ａ１ｄ３’，Ｌ３ａ１ｄ３ｂ，Ｌ３ａ１ｄ４’，Ｌ３ａ１ｄ５’，Ｌ３ａ１ｅ１’，Ｌ３ａ１ｅ２’，Ｌ３ａ１ｅ３’，Ｌ３ａ１ｅ３ｂ，Ｌ３ａ１ｅ４’，Ｌ３ａ１ｅ５’によって形成される配光パターンの照度ムラを低減することができる。
【０１４８】
以下、本発明のＬＥＤ照明装置の第２の実施形態について説明する。図１１は第２の実施形態のＬＥＤ照明装置１０が適用された街路灯１００の要部を示した斜視図などである。詳細には、図１１（Ａ）は第２の実施形態のＬＥＤ照明装置１０が適用された街路灯１００の要部を示した斜視図、図１１（Ｂ）は正四角柱状の支持部６の中心軸線６’を含む第２の実施形態のＬＥＤ照明装置１０の鉛直断面を示した図である。図１２は図１１（Ｂ）に示す鉛直断面に垂直な正四角柱状の支持部６の中心軸線６’を含む第２の実施形態のＬＥＤ照明装置１０の鉛直断面を示した図である。
【０１４９】
第２の実施形態のＬＥＤ照明装置１０では、図１１（Ｂ）および図１２に示すように、正方形の先端面６ｚと、４個の長方形の側面６ａ，６ｂ，６ｃ，６ｄとを有する正四角柱状の支持部６が設けられている。また、水平面に対して垂直になるように、かつ、９０°回転対称の関係を有するように、４個の板状の基板２ａ，２ｂ，２ｃ，２ｄが正四角柱状の支持部６の４個の長方形の側面６ａ，６ｂ，６ｃ，６ｄ上に配置されている。
【０１５０】
更に、第２の実施形態のＬＥＤ照明装置１０では、図１１（Ｂ）に示すように、ＬＥＤ光源１ａ１，１ａ２，１ａ３，１ａ４，１ａ５，１ａ７の光軸１ａ１’，１ａ２’，１ａ３’，１ａ４’，１ａ５’，１ａ７’が基板２ａに対して垂直になるようにＬＥＤ光源１ａ１，１ａ２，１ａ３，１ａ４，１ａ５，１ａ７が基板２ａに実装されている。
【０１５１】
また、第２の実施形態のＬＥＤ照明装置１０では、図１１（Ｂ）および図１２に示すように、基板２ａに実装されたＬＥＤ光源１ａ１，１ａ２，１ａ３，１ａ４，１ａ５，１ａ７と９０°回転対称の関係を有するＬＥＤ光源１ｂ１，１ｂ２，１ｂ３，１ｂ４，１ｂ５，１ｂ７，１ｃ１，１ｃ２，１ｃ３，１ｃ４，１ｃ５，１ｃ７，１ｄ１，１ｄ２，１ｄ３，１ｄ４，１ｄ５，１ｄ７が基板２ｂ，２ｃ，２ｄに実装されている。詳細には、第２の実施形態のＬＥＤ照明装置１０では、図１１（Ｂ）に示すように、ＬＥＤ光源１ｃ１，１ｃ２，１ｃ３，１ｃ４，１ｃ５，１ｃ７の光軸１ｃ１’，１ｃ２’，１ｃ３’，１ｃ４’，１ｃ５’，１ｃ７’が基板２ｃに対して垂直になるようにＬＥＤ光源１ｃ１，１ｃ２，１ｃ３，１ｃ４，１ｃ５，１ｃ７が基板２ｃに実装されている。
【０１５２】
また、第２の実施形態のＬＥＤ照明装置１０では、図１２に示すように、ＬＥＤ光源１ｂ１，１ｂ２，１ｂ３，１ｂ４，１ｂ５，１ｂ７の光軸１ｂ１’，１ｂ２’，１ｂ３’，１ｂ４’，１ｂ５’，１ｂ７’が基板２ｂに対して垂直になるようにＬＥＤ光源１ｂ１，１ｂ２，１ｂ３，１ｂ４，１ｂ５，１ｂ７が基板２ｂに実装されている。更に、ＬＥＤ光源１ｄ１，１ｄ２，１ｄ３，１ｄ４，１ｄ５，１ｄ７の光軸１ｄ１’，１ｄ２’，１ｄ３’，１ｄ４’，１ｄ５’，１ｄ７’が基板２ｄに対して垂直になるようにＬＥＤ光源１ｄ１，１ｄ２，１ｄ３，１ｄ４，１ｄ５，１ｄ７が基板２ｄに実装されている。
【０１５３】
更に、第２の実施形態のＬＥＤ照明装置１０では、図１１（Ｂ）および図１２に示すように、各ＬＥＤ光源１ａ１，…，１ａ７，１ｂ１，…，１ｂ７，１ｃ１，…，１ｃ７，１ｄ１，…，１ｄ７に電流を供給するための口金７が設けられている。
【０１５４】
また、第２の実施形態のＬＥＤ照明装置１０では、図１１（Ｂ）に示すように、ＬＥＤ光源１ａ１からの光を配光制御するためのレンズ部３ａ１と、ＬＥＤ光源１ａ２からの光を配光制御するためのレンズ部３ａ２と、ＬＥＤ光源１ａ３からの光を配光制御するためのレンズ部３ａ３と、ＬＥＤ光源１ａ４からの光を配光制御するためのレンズ部３ａ４と、ＬＥＤ光源１ａ５からの光を配光制御するためのレンズ部３ａ５と、ＬＥＤ光源１ａ７からの光を配光制御するためのレンズ部３ａ７とを有する導光レンズ３ａによって、ＬＥＤ光源１ａ１，１ａ２，１ａ３，１ａ４，１ａ５，１ａ７が覆われている。更に、ＬＥＤ光源１ｃ１からの光を配光制御するためのレンズ部３ｃ１と、ＬＥＤ光源１ｃ２からの光を配光制御するためのレンズ部３ｃ２と、ＬＥＤ光源１ｃ３からの光を配光制御するためのレンズ部３ｃ３と、ＬＥＤ光源１ｃ４からの光を配光制御するためのレンズ部３ｃ４と、ＬＥＤ光源１ｃ５からの光を配光制御するためのレンズ部３ｃ５と、ＬＥＤ光源１ｃ７からの光を配光制御するためのレンズ部３ｃ７とを有する導光レンズ３ｃによって、ＬＥＤ光源１ｃ１，１ｃ２，１ｃ３，１ｃ４，１ｃ５，１ｃ７が覆われている。
【０１５５】
更に、第２の実施形態のＬＥＤ照明装置１０では、図１２に示すように、ＬＥＤ光源１ｂ１からの光を配光制御するためのレンズ部３ｂ１と、ＬＥＤ光源１ｂ２からの光を配光制御するためのレンズ部３ｂ２と、ＬＥＤ光源１ｂ３からの光を配光制御するためのレンズ部３ｂ３と、ＬＥＤ光源１ｂ４からの光を配光制御するためのレンズ部３ｂ４と、ＬＥＤ光源１ｂ５からの光を配光制御するためのレンズ部３ｂ５と、ＬＥＤ光源１ｂ７からの光を配光制御するためのレンズ部３ｂ７とを有する導光レンズ３ｂによって、ＬＥＤ光源１ｂ１，１ｂ２，１ｂ３，１ｂ４，１ｂ５，１ｂ７が覆われている。また、ＬＥＤ光源１ｄ１からの光を配光制御するためのレンズ部３ｄ１と、ＬＥＤ光源１ｄ２からの光を配光制御するためのレンズ部３ｄ２と、ＬＥＤ光源１ｄ３からの光を配光制御するためのレンズ部３ｄ３と、ＬＥＤ光源１ｄ４からの光を配光制御するためのレンズ部３ｄ４と、ＬＥＤ光源１ｄ５からの光を配光制御するためのレンズ部３ｄ５と、ＬＥＤ光源１ｄ７からの光を配光制御するためのレンズ部３ｄ７とを有する導光レンズ３ｄによって、ＬＥＤ光源１ｄ１，１ｄ２，１ｄ３，１ｄ４，１ｄ５，１ｄ７が覆われている。
【０１５６】
詳細には、第２の実施形態のＬＥＤ照明装置１０では、図１１（Ｂ）および図１２に示すように、導光レンズ３ａ，３ｂ，３ｃ，３ｄが、互いに９０°回転対称の関係を有するように、配置されている。
【０１５７】
具体的には、図１１（Ａ）に示す街路灯１００の適用例では、路面（地面）（図示せず）を照射するために、第２の実施形態のＬＥＤ照明装置１０の口金７が、路面（地面）から上向きに延び、先端がＵ字状に湾曲している支柱１００ａに設けられたソケット１００ｂに対して接続されている。詳細には、図１１（Ｂ）および図１２に示すように、板状の基板２ａ，２ｂ，２ｃ，２ｄが水平面（図示せず）に対して垂直になるように、第２の実施形態のＬＥＤ照明装置１０の口金７がソケット１００ｂに接続されている。換言すれば、第２の実施形態のＬＥＤ照明装置１０は、例えば口金を有する水銀灯、例えばフィラメントなどのような発光部と口金とを有する電球などに対して互換性を有するように構成されている。また、図１１（Ａ）に示す街路灯１００の適用例では、街路灯１００の支柱１００ａに皿部１００ｃが設けられており、皿部１００ｃに取り付けられたグローブ（アウターレンズ）１００ｄによって第２の実施形態のＬＥＤ照明装置１０が覆われている。
【０１５８】
また、第２の実施形態のＬＥＤ照明装置１０では、導光レンズ３ａのレンズ部３ａ１，３ａ２，３ａ３，３ａ４，３ａ５，３ａ７が、図１１（Ｂ）に示す断面形状を図１１（Ｂ）の手前側−奥側方向に押し出すことにより得られる形状（柱状）に形成されている。更に、導光レンズ３ｂのレンズ部３ｂ１，３ｂ２，３ｂ３，３ｂ４，３ｂ５，３ｂ７が、図１２に示す断面形状を図１２の手前側−奥側方向に押し出すことにより得られる形状（柱状）に形成されている。また、導光レンズ３ｃのレンズ部３ｃ１，３ｃ２，３ｃ３，３ｃ４，３ｃ５，３ｃ７が、図１１（Ｂ）に示す断面形状を図１１（Ｂ）の手前側−奥側方向に押し出すことにより得られる形状（柱状）に形成されている。更に、導光レンズ３ｄのレンズ部３ｄ１，３ｄ２，３ｄ３，３ｄ４，３ｄ５，３ｄ７が、図１２に示す断面形状を図１２の手前側−奥側方向に押し出すことにより得られる形状（柱状）に形成されている。
【０１５９】
詳細には、第２の実施形態のＬＥＤ照明装置１０の導光レンズ３ａ（図１１（Ｂ）参照）のレンズ部３ａ１，３ａ２，３ａ３，３ａ４，３ａ５（図１１（Ｂ）参照）が、第１の実施形態のＬＥＤ照明装置１０の導光レンズ３ａ（図１参照）のレンズ部３ａ１（図６参照）と同一断面形状に形成されている。更に、第２の実施形態のＬＥＤ照明装置１０の導光レンズ３ａ（図１１（Ｂ）参照）のレンズ部３ａ７（図１１（Ｂ）参照）が、第１の実施形態のＬＥＤ照明装置１０の導光レンズ３ａ（図１参照）のレンズ部３ａ７（図２参照）と同一断面形状に形成されている。また、第２の実施形態のＬＥＤ照明装置１０では、導光レンズ３ａ，３ｂ，３ｃ，３ｄが互いに９０°回転対称の関係を有するように配置されているため、第２の実施形態のＬＥＤ照明装置１０の導光レンズ３ｂ，３ｃ，３ｄ（図１１（Ｂ）および図１２参照）が、第２の実施形態のＬＥＤ照明装置１０の導光レンズ３ａ（図１１（Ｂ）参照）と同一形状になっている。
【０１６０】
第２の実施形態のＬＥＤ照明装置１０では、図１１（Ｂ）および図１２に示すように、ＬＥＤ光源１ａ１，…，１ａ７，１ｂ１，…，１ｂ７，１ｃ１，…，１ｃ７，１ｄ１，…，１ｄ７からの光を配光制御するための導光レンズ３ａ，３ｂ，３ｃ，３ｄが設けられているため、ＬＥＤ光源からの光を配光制御するための導光レンズが設けられていない例えば特許文献２（特開２０１０−１８２７９６号公報）に記載されたＬＥＤ照明装置よりも、ＬＥＤ光源１ａ１，…，１ａ７，１ｂ１，…，１ｂ７，１ｃ１，…，１ｃ７，１ｄ１，…，１ｄ７から放射される光のうち、路面（地面）に照射される光の割合を向上させることができる。
【０１６１】
詳細には、本発明者は、第２の実施形態のＬＥＤ照明装置１０を高さ５ｍの位置に設置し、正四角柱状の支持部６の中心軸線６’を中心とする半径２５ｍの円柱を想定し、ＬＥＤ光源１ａ１，…，１ａ７，１ｂ１，…，１ｂ７，１ｃ１，…，１ｃ７，１ｄ１，…，１ｄ７から円柱の下面（つまり、路面（地面））、円柱の側面および上面などに照射される光の割合を計算した。その結果、ＬＥＤ光源１ａ１，…，１ａ７，１ｂ１，…，１ｂ７，１ｃ１，…，１ｃ７，１ｄ１，…，１ｄ７から放射される光のうち、円柱の下面（つまり、路面（地面））に照射される光の割合が６０％になり、円柱の側面および上面に照射される光の割合が１５．４％になり、正四角柱状の支持部６に吸収される光の割合が２３．８％になり、グローブ（アウターレンズ）１００ｄに吸収される光の割合が０．１％になり、導光レンズ３ａ，３ｂ，３ｃ，３ｄに吸収される光の割合が０．７％になった。
【０１６２】
図１１（Ａ）に示す適用例では、第２の実施形態のＬＥＤ照明装置１０が街路灯１００に適用されているが、他の適用例では、例えば体育館の天井に設置された照明灯などのような屋内用照明に第２の実施形態のＬＥＤ照明装置１０を適用可能である。
【０１６３】
第２の実施形態のＬＥＤ照明装置１０では、正四角柱状の支持部６が用いられ、４個の基板４ａ，４ｂ，４ｃ，４ｄが設けられているが、第２の実施形態のＬＥＤ照明装置１０の変形例では、代わりに、正ｎ（ｎは３以上の整数であって、４を除く整数）角柱状の支持部６を用い、（３６０／ｎ）°回転対称の関係を互いに有するようにｎ個の基板を配置することも可能である。
【０１６４】
以下、本発明のＬＥＤ照明装置の第３の実施形態について説明する。図１３は第３の実施形態のＬＥＤ照明装置１０が適用された街路灯１００の要部を示した斜視図などである。詳細には、図１３（Ａ）は第３の実施形態のＬＥＤ照明装置１０が適用された街路灯１００の要部を示した斜視図、図１３（Ｂ）は正四角柱状の支持部６の中心軸線６’を含む第３の実施形態のＬＥＤ照明装置１０の鉛直断面を示した図である。図１４は図１３（Ｂ）に示す鉛直断面に垂直な正四角柱状の支持部６の中心軸線６’を含む第３の実施形態のＬＥＤ照明装置１０の鉛直断面を示した図である。
【０１６５】
第３の実施形態のＬＥＤ照明装置１０では、図１３（Ｂ）および図１４に示すように、正方形の先端面６ｚと、４個の長方形の側面６ａ，６ｂ，６ｃ，６ｄとを有する正四角柱状の支持部６が設けられている。また、水平面に対して垂直になるように、かつ、９０°回転対称の関係を有するように、４個の板状の基板２ａ，２ｂ，２ｃ，２ｄが正四角柱状の支持部６の４個の長方形の側面６ａ，６ｂ，６ｃ，６ｄ上に配置されている。
【０１６６】
更に、第３の実施形態のＬＥＤ照明装置１０では、図１３（Ｂ）に示すように、ＬＥＤ光源１ａ１，１ａ２，１ａ３，１ａ４，１ａ５，１ａ７の光軸１ａ１’，１ａ２’，１ａ３’，１ａ４’，１ａ５’，１ａ７’が基板２ａに対して垂直になるようにＬＥＤ光源１ａ１，１ａ２，１ａ３，１ａ４，１ａ５，１ａ７が基板２ａに実装されている。
【０１６７】
また、第３の実施形態のＬＥＤ照明装置１０では、図１３（Ｂ）および図１４に示すように、基板２ａに実装されたＬＥＤ光源１ａ１，１ａ２，１ａ３，１ａ４，１ａ５，１ａ７と９０°回転対称の関係を有するＬＥＤ光源１ｂ１，１ｂ２，１ｂ３，１ｂ４，１ｂ５，１ｂ７，１ｃ１，１ｃ２，１ｃ３，１ｃ４，１ｃ５，１ｃ７，１ｄ１，１ｄ２，１ｄ３，１ｄ４，１ｄ５，１ｄ７が基板２ｂ，２ｃ，２ｄに実装されている。詳細には、第３の実施形態のＬＥＤ照明装置１０では、図１３（Ｂ）に示すように、ＬＥＤ光源１ｃ１，１ｃ２，１ｃ３，１ｃ４，１ｃ５，１ｃ７の光軸１ｃ１’，１ｃ２’，１ｃ３’，１ｃ４’，１ｃ５’，１ｃ７’が基板２ｃに対して垂直になるようにＬＥＤ光源１ｃ１，１ｃ２，１ｃ３，１ｃ４，１ｃ５，１ｃ７が基板２ｃに実装されている。
【０１６８】
また、第３の実施形態のＬＥＤ照明装置１０では、図１４に示すように、ＬＥＤ光源１ｂ１，１ｂ２，１ｂ３，１ｂ４，１ｂ５，１ｂ７の光軸１ｂ１’，１ｂ２’，１ｂ３’，１ｂ４’，１ｂ５’，１ｂ７’が基板２ｂに対して垂直になるようにＬＥＤ光源１ｂ１，１ｂ２，１ｂ３，１ｂ４，１ｂ５，１ｂ７が基板２ｂに実装されている。更に、ＬＥＤ光源１ｄ１，１ｄ２，１ｄ３，１ｄ４，１ｄ５，１ｄ７の光軸１ｄ１’，１ｄ２’，１ｄ３’，１ｄ４’，１ｄ５’，１ｄ７’が基板２ｄに対して垂直になるようにＬＥＤ光源１ｄ１，１ｄ２，１ｄ３，１ｄ４，１ｄ５，１ｄ７が基板２ｄに実装されている。
【０１６９】
更に、第３の実施形態のＬＥＤ照明装置１０では、図１３（Ｂ）および図１４に示すように、各ＬＥＤ光源１ａ１，…，１ａ７，１ｂ１，…，１ｂ７，１ｃ１，…，１ｃ７，１ｄ１，…，１ｄ７に電流を供給するための口金７が設けられている。
【０１７０】
また、第４の実施形態のＬＥＤ照明装置１０では、図１５（Ｂ）に示すように、第３の実施形態のＬＥＤ照明装置１０の導光レンズ３ａ（図１３（Ｂ）参照）と同一形状の導光レンズ３ａが用いられている。更に、第４の実施形態のＬＥＤ照明装置１０の導光レンズ３ｂ，３ｃ，３ｄ（図１５（Ｂ）および図１６参照）が、第４の実施形態のＬＥＤ照明装置１０の導光レンズ３ａ（図１５（Ｂ）参照）と同一形状に形成されている。
【０１７１】
また、第３の実施形態のＬＥＤ照明装置１０では、図１３（Ｂ）に示すように、ＬＥＤ光源１ａ１からの光を配光制御するためのレンズ部３ａ１と、ＬＥＤ光源１ａ２からの光を配光制御するためのレンズ部３ａ２と、ＬＥＤ光源１ａ３からの光を配光制御するためのレンズ部３ａ３と、ＬＥＤ光源１ａ４からの光を配光制御するためのレンズ部３ａ４と、ＬＥＤ光源１ａ５からの光を配光制御するためのレンズ部３ａ５と、ＬＥＤ光源１ａ７からの光を配光制御するためのレンズ部３ａ７とを有する導光レンズ３ａによって、ＬＥＤ光源１ａ１，１ａ２，１ａ３，１ａ４，１ａ５，１ａ７が覆われている。更に、ＬＥＤ光源１ｃ１からの光を配光制御するためのレンズ部３ｃ１と、ＬＥＤ光源１ｃ２からの光を配光制御するためのレンズ部３ｃ２と、ＬＥＤ光源１ｃ３からの光を配光制御するためのレンズ部３ｃ３と、ＬＥＤ光源１ｃ４からの光を配光制御するためのレンズ部３ｃ４と、ＬＥＤ光源１ｃ５からの光を配光制御するためのレンズ部３ｃ５と、ＬＥＤ光源１ｃ７からの光を配光制御するためのレンズ部３ｃ７とを有する導光レンズ３ｃによって、ＬＥＤ光源１ｃ１，１ｃ２，１ｃ３，１ｃ４，１ｃ５，１ｃ７が覆われている。
【０１７２】
更に、第３の実施形態のＬＥＤ照明装置１０では、図１４に示すように、ＬＥＤ光源１ｂ１からの光を配光制御するためのレンズ部３ｂ１と、ＬＥＤ光源１ｂ２からの光を配光制御するためのレンズ部３ｂ２と、ＬＥＤ光源１ｂ３からの光を配光制御するためのレンズ部３ｂ３と、ＬＥＤ光源１ｂ４からの光を配光制御するためのレンズ部３ｂ４と、ＬＥＤ光源１ｂ５からの光を配光制御するためのレンズ部３ｂ５と、ＬＥＤ光源１ｂ７からの光を配光制御するためのレンズ部３ｂ７とを有する導光レンズ３ｂによって、ＬＥＤ光源１ｂ１，１ｂ２，１ｂ３，１ｂ４，１ｂ５，１ｂ７が覆われている。また、ＬＥＤ光源１ｄ１からの光を配光制御するためのレンズ部３ｄ１と、ＬＥＤ光源１ｄ２からの光を配光制御するためのレンズ部３ｄ２と、ＬＥＤ光源１ｄ３からの光を配光制御するためのレンズ部３ｄ３と、ＬＥＤ光源１ｄ４からの光を配光制御するためのレンズ部３ｄ４と、ＬＥＤ光源１ｄ５からの光を配光制御するためのレンズ部３ｄ５と、ＬＥＤ光源１ｄ７からの光を配光制御するためのレンズ部３ｄ７とを有する導光レンズ３ｄによって、ＬＥＤ光源１ｄ１，１ｄ２，１ｄ３，１ｄ４，１ｄ５，１ｄ７が覆われている。
【０１７３】
詳細には、第３の実施形態のＬＥＤ照明装置１０では、図１３（Ｂ）および図１４に示すように、導光レンズ３ａ，３ｂ，３ｃ，３ｄが、互いに９０°回転対称の関係を有するように、配置されている。
【０１７４】
具体的には、図１３（Ａ）に示す街路灯１００の適用例では、路面（地面）（図示せず）を照射するために、第３の実施形態のＬＥＤ照明装置１０の口金７が、路面（地面）から上向きに延びている支柱１００ａに設けられたソケット１００ｂに対して接続されている。詳細には、図１３（Ｂ）および図１４に示すように、板状の基板２ａ，２ｂ，２ｃ，２ｄが水平面（図示せず）に対して垂直になるように、第３の実施形態のＬＥＤ照明装置１０の口金７がソケット１００ｂに接続されている。換言すれば、第３の実施形態のＬＥＤ照明装置１０は、例えば口金を有する水銀灯、例えばフィラメントなどのような発光部と口金とを有する電球などに対して互換性を有するように構成されている。また、図１３（Ａ）に示す街路灯１００の適用例では、街路灯１００の支柱１００ａに皿部１００ｃが設けられており、皿部１００ｃに取り付けられたグローブ１００ｄによって第３の実施形態のＬＥＤ照明装置１０が覆われている。
【０１７５】
また、第３の実施形態のＬＥＤ照明装置１０では、導光レンズ３ａのレンズ部３ａ１，３ａ２，３ａ３，３ａ４，３ａ５，３ａ７が、図１３（Ｂ）に示す断面形状を図１３（Ｂ）の手前側−奥側方向に押し出すことにより得られる形状（柱状）に形成されている。更に、導光レンズ３ｂのレンズ部３ｂ１，３ｂ２，３ｂ３，３ｂ４，３ｂ５，３ｂ７が、図１４に示す断面形状を図１４の手前側−奥側方向に押し出すことにより得られる形状（柱状）に形成されている。また、導光レンズ３ｃのレンズ部３ｃ１，３ｃ２，３ｃ３，３ｃ４，３ｃ５，３ｃ７が、図１３（Ｂ）に示す断面形状を図１３（Ｂ）の手前側−奥側方向に押し出すことにより得られる形状（柱状）に形成されている。更に、導光レンズ３ｄのレンズ部３ｄ１，３ｄ２，３ｄ３，３ｄ４，３ｄ５，３ｄ７が、図１４に示す断面形状を図１４の手前側−奥側方向に押し出すことにより得られる形状（柱状）に形成されている。
【０１７６】
詳細には、第３の実施形態のＬＥＤ照明装置１０の導光レンズ３ａ（図１３（Ｂ）参照）のレンズ部３ａ１，３ａ２，３ａ３，３ａ４，３ａ５（図１３（Ｂ）参照）が、第１の実施形態のＬＥＤ照明装置１０の導光レンズ３ａ（図１参照）のレンズ部３ａ１（図６参照）と同一断面形状に形成されている。更に、第３の実施形態のＬＥＤ照明装置１０の導光レンズ３ａ（図１３（Ｂ）参照）のレンズ部３ａ７（図１３（Ｂ）参照）が、第１の実施形態のＬＥＤ照明装置１０の導光レンズ３ａ（図１参照）のレンズ部３ａ７（図２参照）と同一断面形状に形成されている。また、第３の実施形態のＬＥＤ照明装置１０では、導光レンズ３ａ，３ｂ，３ｃ，３ｄが互いに９０°回転対称の関係を有するように配置されているため、第３の実施形態のＬＥＤ照明装置１０の導光レンズ３ｂ，３ｃ，３ｄ（図１３（Ｂ）および図１４参照）が、第３の実施形態のＬＥＤ照明装置１０の導光レンズ３ａ（図１３（Ｂ）参照）と同一形状になっている。
【０１７７】
第３の実施形態のＬＥＤ照明装置１０では、図１３（Ｂ）および図１４に示すように、ＬＥＤ光源１ａ１，…，１ａ７，１ｂ１，…，１ｂ７，１ｃ１，…，１ｃ７，１ｄ１，…，１ｄ７からの光を配光制御するための導光レンズ３ａ，３ｂ，３ｃ，３ｄが設けられているため、ＬＥＤ光源からの光を配光制御するための導光レンズが設けられていない例えば特許文献２（特開２０１０−１８２７９６号公報）に記載されたＬＥＤ照明装置よりも、ＬＥＤ光源１ａ１，…，１ａ７，１ｂ１，…，１ｂ７，１ｃ１，…，１ｃ７，１ｄ１，…，１ｄ７から放射される光のうち、路面（地面）に照射される光の割合を向上させることができる。
【０１７８】
詳細には、本発明者は、第３の実施形態のＬＥＤ照明装置１０を高さ５ｍの位置に設置し、正四角柱状の支持部６の中心軸線６’を中心とする半径２５ｍの円柱を想定し、ＬＥＤ光源１ａ１，…，１ａ７，１ｂ１，…，１ｂ７，１ｃ１，…，１ｃ７，１ｄ１，…，１ｄ７から円柱の下面（つまり、路面（地面））、円柱の側面および上面などに照射される光の割合を計算した。その結果、ＬＥＤ光源１ａ１，…，１ａ７，１ｂ１，…，１ｂ７，１ｃ１，…，１ｃ７，１ｄ１，…，１ｄ７から放射される光のうち、円柱の下面（つまり、路面（地面））に照射される光の割合が５５．１％になり、円柱の側面および上面に照射される光の割合が１５．４％になり、正四角柱状の支持部６に吸収される光の割合が２６．９％になり、皿部１００ｃに吸収される光の割合が１．７％になり、グローブ（アウターレンズ）１００ｄに吸収される光の割合が０．２％になり、導光レンズ３ａ，３ｂ，３ｃ，３ｄに吸収される光の割合が０．７％になった。
【０１７９】
第３の実施形態のＬＥＤ照明装置１０では、正四角柱状の支持部６が用いられ、４個の基板４ａ，４ｂ，４ｃ，４ｄが設けられているが、第３の実施形態のＬＥＤ照明装置１０の変形例では、代わりに、正ｎ（ｎは３以上の整数であって、４を除く整数）角柱状の支持部６を用い、（３６０／ｎ）°回転対称の関係を互いに有するようにｎ個の基板を配置することも可能である。
【０１８０】
第４の実施形態では、上述した第１から第３の実施形態および変形例並びに各例を適宜組み合わせることも可能である。
【産業上の利用可能性】
【０１８１】
本発明のＬＥＤ照明装置は、例えば街路灯、例えば体育館などの屋内用照明などのようなＬＥＤ照明装置などに適用可能である。
【符号の説明】
【０１８２】
１ａ１，１ａ２，１ａ７                    ＬＥＤ光源
１ａ１’，１ａ２’，１ａ７’              光軸
２ａ                                      基板
３ａ                                      導光レンズ
３ａ１，３ａ２，３ａ７                    レンズ部
３ａ１ａ，３ａ１ｂ                        入射面
３ａ１ｃ                                  反射面
３ａ１ｄ１，３ａ１ｄ２，３ａ１ｄ３        出射部
３ａ１ｄ４，３ａ１ｄ５                    出射部
３ａ１ｄ１ａ，３ａ１ｄ２ａ，３ａ１ｄ３ａ  出射面
３ａ１ｄ４ａ，３ａ１ｄ５ａ                出射面
３ａ１ｅ１，３ａ１ｅ２，３ａ１ｅ３        出射部
３ａ１ｅ４，３ａ１ｅ５                    出射部
３ａ１ｅ１ａ，３ａ１ｅ２ａ，３ａ１ｅ３ａ  反射面
３ａ１ｅ４ａ，３ａ１ｅ５ａ                反射面
３ａ１ｅ１ｂ，３ａ１ｅ２ｂ，３ａ１ｅ３ｂ  出射面
３ａ１ｅ４ｂ，３ａ１ｅ５ｂ                出射面
３ａ７ａ１，３ａ７ａ２，３ａ７ｂ          入射面
３ａ７ｃ                                  反射面
３ａ７ｅ１，３ａ７ｅ２，３ａ７ｅ３        出射部
３ａ７ｅ４                                出射部
３ａ７ｅ１ａ，３ａ７ｅ２ａ，３ａ７ｅ３ａ  反射面
３ａ７ｅ４ａ                              反射面
３ａ７ｅ１ｂ，３ａ７ｅ２ｂ，３ａ７ｅ３ｂ  出射面
３ａ７ｅ４ｂ                              出射面
３ａ７ｆ                                  出射部
３ａ７ｆ１                                反射面
３ａ７ｆ２ａ，３ａ７ｆ２ｂ                出射面
３ａ７ｇ                                  出射部
３ａ７ｇ１                                出射面
１０                                      ＬＥＤ照明装置
【図１】
2012104295.tif 000003
【図２】
2012104295.tif 000004
【図３】
2012104295.tif 000005
【図４】
2012104295.tif 000006
【図５】
2012104295.tif 000007
【図６】
2012104295.tif 000008
【図７】
2012104295.tif 000009
【図８】
2012104295.tif 000010
【図９】
2012104295.tif 000011
【図１０】
2012104295.tif 000012
【図１１】
2012104295.tif 000013
【図１２】
2012104295.tif 000014
【図１３】
2012104295.tif 000015
【図１４】
2012104295.tif 000016